(57)【要約】  デュアルコネクティビティのための通信リソース設定のための方法および装置が開示される。一実施形態では、無線デバイスが、第１のアップリンク−ダウンリンク（ＵＬ−ＤＬ）設定の指示を受信することと、第１のＵＬ−ＤＬ設定を参照ＵＬ−ＤＬ設定と比較すること、および、第１のＵＬ−ＤＬ設定中で指示された少なくとも１つの通信リソースの通信方向が、参照ＵＬ−ＤＬ設定によって指示された少なくとも１つの対応する通信リソースの通信方向に一致するかどうかを決定することと、参照ＵＬ−ＤＬ設定と第１のＵＬ−ＤＬ設定との比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースが使用されるべきであると決定することとを行うように設定される。【選択図】図１０
2021520738.tif 000002
【特許請求の範囲】
【請求項１】
ネットワークノード（１６）と通信するための無線デバイス（２２）であって、前記無線デバイス（２２）が処理回路（８４）を備え、前記処理回路（８４）は、前記無線デバイス（２２）のデュアルコネクティビティモードについて、
第１のアップリンク−ダウンリンク（ＵＬ−ＤＬ）設定の指示を受信することと、
前記第１のＵＬ−ＤＬ設定を参照ＵＬ−ＤＬ設定と比較すること、および、前記第１のＵＬ−ＤＬ設定中で指示された少なくとも１つの通信リソースの通信方向が、前記参照ＵＬ−ＤＬ設定によって指示された少なくとも１つの対応する通信リソースの通信方向に一致するかどうかを決定することと、
前記参照ＵＬ−ＤＬ設定と前記第１のＵＬ−ＤＬ設定との前記比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための前記少なくとも１つの通信リソースが使用されるべきであると決定することと
を行うように設定された、無線デバイス（２２）。
【請求項２】
前記処理回路（８４）が、システム情報ブロックタイプ１（ＳＩＢ１）メッセージ中で前記第１のＵＬ−ＤＬ設定を受信するようにさらに設定された、請求項１に記載の無線デバイス（２２）。
【請求項３】
前記参照ＵＬ−ＤＬ設定が、Ｌｏｎｇ  Ｔｅｒｍ  Ｅｖｏｌｕｔｉｏｎ（ＬＴＥ）参照設定を含む、請求項１または２に記載の無線デバイス（２２）。
【請求項４】
前記少なくとも１つの通信リソースが、前記第１のＵＬ−ＤＬ設定および前記参照ＵＬ−ＤＬ設定によって指示されたスロットまたはサブフレームを含む、請求項１から３のいずれか一項に記載の無線デバイス（２２）。
【請求項５】
前記処理回路（８４）が、
前記参照ＵＬ−ＤＬ設定の指示を受信すること
を行うようにさらに設定された、請求項１から４のいずれか一項に記載の無線デバイス（２２）。
【請求項６】
前記処理回路（８４）は、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向であるかどうかを決定すること
を行うように設定されることによって、前記参照ＵＬ−ＤＬ設定を前記第１のＵＬ−ＤＬ設定と比較するようにさらに設定された、請求項１から５のいずれか一項に記載の無線デバイス（２２）。
【請求項７】
前記処理回路（８４）は、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向である場合、前記少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、
前記第１のＵＬ−ＤＬ設定によって指示された前記少なくとも１つの通信リソースの前記通信方向も、前記参照ＵＬ−ＤＬ設定によって指示された前記少なくとも１つの対応する通信リソースの前記通信方向もＵＬ方向でない場合、前記少なくとも１つの通信リソースがＤＬリソースであると決定することと、
前記第１のＵＬ−ＤＬ設定によって指示された前記少なくとも１つの通信リソースの前記通信方向がＵＬ方向であり、前記参照ＵＬ−ＤＬ設定によって指示された前記少なくとも１つの対応する通信リソースの前記通信方向がＵＬ方向でない場合、前記少なくとも１つの通信リソースが、新無線（ＮＲ）アクセスネットワークのためのＵＬリソースであると決定することと
を行うように設定されることによって、前記少なくとも１つの通信リソースの設定を決定するようにさらに設定された、請求項１から６のいずれか一項に記載の無線デバイス（２２）。
【請求項８】
前記処理回路（８４）が、
前記参照ＵＬ−ＤＬ設定と前記第１のＵＬ−ＤＬ設定との前記比較に基づいて、ハイブリッド自動再送要求（ＨＡＲＱ）タイミングを決定すること
を行うように設定されることによって、前記少なくとも１つの通信リソースの前記設定を決定するようにさらに設定された、請求項１から４のいずれか一項に記載の無線デバイス（２２）。
【請求項９】
前記参照ＵＬ−ＤＬ設定が、複数の時分割複信（ＴＤＤ）設定パターンのうちの１つを指示する、請求項１から８のいずれか一項に記載の無線デバイス（２２）。
【請求項１０】
無線デバイス（２２）における方法であって、前記方法は、前記無線デバイス（２２）のデュアルコネクティビティモードについて、
第１のアップリンク−ダウンリンク（ＵＬ−ＤＬ）設定の指示を受信すること（Ｓ１３６）と、
前記第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかを決定するために、前記第１のＵＬ−ＤＬ設定を前記参照ＵＬ−ＤＬ設定と比較すること（Ｓ１３８）と、
前記参照ＵＬ−ＤＬ設定と前記第１のＵＬ−ＤＬ設定との前記比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のために前記少なくとも１つの通信リソースが使用されるべきであると決定すること（Ｓ１４０）と
を含む、方法。
【請求項１１】
前記第１のＵＬ−ＤＬ設定を前記受信することが、システム情報ブロックタイプ１（ＳＩＢ１）メッセージ中で前記第１のＵＬ−ＤＬ設定を受信することをさらに含む、請求項１０に記載の方法。
【請求項１２】
前記参照ＵＬ−ＤＬ設定が、Ｌｏｎｇ  Ｔｅｒｍ  Ｅｖｏｌｕｔｉｏｎ（ＬＴＥ）参照設定を含む、請求項１０または１１に記載の方法。
【請求項１３】
前記少なくとも１つの通信リソースが、前記第１のＵＬ−ＤＬ設定および前記参照ＵＬ−ＤＬ設定によって指示されたスロットまたはサブフレームを含む、請求項１０から１２のいずれか一項に記載の方法。
【請求項１４】
前記参照ＵＬ−ＤＬ設定の指示を受信すること
をさらに含む、請求項１０から１３のいずれか一項に記載の方法。
【請求項１５】
前記参照ＵＬ−ＤＬ設定を前記第１のＵＬ−ＤＬ設定と前記比較することは、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向であるかどうかを決定すること
をさらに含む、請求項１０から１４のいずれか一項に記載の方法。
【請求項１６】
前記少なくとも１つの通信リソースの設定を前記決定することは、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向である場合、前記少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、
前記第１のＵＬ−ＤＬ設定によって指示された前記少なくとも１つの通信リソースの前記通信方向も、前記参照ＵＬ−ＤＬ設定によって指示された前記少なくとも１つの対応する通信リソースの前記通信方向もＵＬ方向でない場合、前記少なくとも１つの通信リソースがダウンリンク（ＤＬ）リソースであると決定することと、
前記第１のＵＬ−ＤＬ設定によって指示された前記少なくとも１つの通信リソースの前記通信方向がＵＬ方向であり、前記参照ＵＬ−ＤＬ設定によって指示された前記少なくとも１つの対応する通信リソースの前記通信方向がＵＬ方向でない場合、前記少なくとも１つの通信リソースが、新無線（ＮＲ）アクセスネットワークのためのＵＬリソースであると決定することと
をさらに含む、請求項１０から１５のいずれか一項に記載の方法。
【請求項１７】
前記少なくとも１つの通信リソースの前記設定を前記決定することが、
前記参照ＵＬ−ＤＬ設定と前記第１のＵＬ−ＤＬ設定との前記比較に基づいて、ハイブリッド自動再送要求（ＨＡＲＱ）タイミングを決定すること
をさらに含む、請求項１０から１３のいずれか一項に記載の方法。
【請求項１８】
前記参照ＵＬ−ＤＬ設定が、複数の時分割複信（ＴＤＤ）設定パターンのうちの１つを指示する、請求項１０から１７のいずれか一項に記載の方法。
【請求項１９】
無線デバイス（２２）がデュアルコネクティビティモードにあるときに前記無線デバイス（２２）と通信するように設定されたネットワークノード（１６）であって、前記ネットワークノード（１６）が処理回路（６８）を備え、前記処理回路（６８）が、
第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための前記無線デバイス（２２）のスケジューリングを決定すること
を行うように設定された、ネットワークノード（１６）。
【請求項２０】
前記処理回路（６８）が、システム情報ブロックタイプ１（ＳＩＢ１）メッセージ中で前記第１のＵＬ−ＤＬ設定を通信するようにさらに設定された、請求項１９に記載のネットワークノード（１６）。
【請求項２１】
前記参照ＵＬ−ＤＬ設定が、Ｌｏｎｇ  Ｔｅｒｍ  Ｅｖｏｌｕｔｉｏｎ（ＬＴＥ）参照設定を含む、請求項１９または２０に記載のネットワークノード（１６）。
【請求項２２】
前記少なくとも１つの通信リソースが、前記第１のＵＬ−ＤＬ設定および前記参照ＵＬ−ＤＬ設定によって指示されたスロットまたはサブフレームを含む、請求項１９から２１のいずれか一項に記載のネットワークノード（１６）。
【請求項２３】
前記処理回路（６８）は、
前記無線デバイス（２２）に、前記第１のアップリンク−ダウンリンク（ＵＬ−ＤＬ）設定の指示を通信することと、
前記参照ＵＬ−ＤＬ設定を選択することであって、前記参照ＵＬ−ＤＬ設定は、前記無線デバイス（２２）が、前記第１のＵＬ−ＤＬ設定と前記参照ＵＬ−ＤＬ設定との比較に基づいて、前記少なくとも１つのスケジュールされた通信リソースのために、前記ＬＴＥ無線アクセスネットワークおよび前記ＮＲ無線アクセスネットワークのうちのどちらの無線アクセスネットワークを使用すべきかを決定することを可能にする、前記参照ＵＬ−ＤＬ設定を選択することと、
前記無線デバイス（２２）に、前記参照ＵＬ−ＤＬ設定の指示を通信することと
を行うようにさらに設定された、請求項１９から２２のいずれか一項に記載のネットワークノード（１６）。
【請求項２４】
前記処理回路（６８）は、
前記第１のＵＬ−ＤＬ設定によって指示された前記少なくとも１つの通信リソースの通信方向が、前記参照ＵＬ−ＤＬ設定によって指示された前記少なくとも１つの対応する通信リソースの通信方向に一致するかどうかに少なくとも部分的に基づいて、前記参照ＵＬ−ＤＬ設定を選択すること
を行うように設定されることによって、前記参照ＵＬ−ＤＬ設定を選択するようにさらに設定された、請求項２３に記載のネットワークノード（１６）。
【請求項２５】
前記処理回路（６８）は、
前記少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、前記第１のＵＬ−ＤＬ設定によって指示された前記対応する少なくとも１つの通信リソースの前記通信方向に一致する、前記少なくとも１つの通信リソースの前記通信方向を指示する、前記参照ＵＬ−ＤＬ設定を選択することと、
前記少なくとも１つの通信リソースが、新無線（ＮＲ）アクセスネットワークのためのＵＬリソースであるべきである場合、前記第１のＵＬ−ＤＬ設定によって指示された前記対応する少なくとも１つの通信リソースの前記通信方向に一致しない、前記少なくとも１つの通信リソースの前記通信方向を指示する、前記参照ＵＬ−ＤＬ設定を選択することと
を行うように設定されることによって、前記参照ＵＬ−ＤＬ設定を選択するようにさらに設定された、請求項１９から２４のいずれか一項に記載のネットワークノード（１６）。
【請求項２６】
前記参照ＵＬ−ＤＬ設定が、前記無線デバイス（２２）のためのハイブリッド自動再送要求（ＨＡＲＱ）タイミングをさらに設定する、請求項１９から２５のいずれか一項に記載のネットワークノード（１６）。
【請求項２７】
前記参照ＵＬ−ＤＬ設定が、複数の時分割複信（ＴＤＤ）設定パターンのうちの１つを指示する、請求項１９から２６のいずれか一項に記載のネットワークノード（１６）。
【請求項２８】
ネットワークノード（１６）における方法であって、前記方法が、
第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための無線デバイス（２２）のスケジューリングを決定すること（Ｓ１３４）
を含む、方法。
【請求項２９】
システム情報ブロックタイプ１（ＳＩＢ１）メッセージ中で前記第１のＵＬ−ＤＬ設定の指示を通信することをさらに含む、請求項２８に記載の方法。
【請求項３０】
前記参照ＵＬ−ＤＬ設定が、Ｌｏｎｇ  Ｔｅｒｍ  Ｅｖｏｌｕｔｉｏｎ（ＬＴＥ）参照設定を含む、請求項２８または２９に記載の方法。
【請求項３１】
前記少なくとも１つの通信リソースが、前記第１のＵＬ−ＤＬ設定および前記参照ＵＬ−ＤＬ設定によって指示されたスロットまたはサブフレームを含む、請求項２８から３０のいずれか一項に記載の方法。
【請求項３２】
前記無線デバイス（２２）に、前記第１のアップリンク−ダウンリンク（ＵＬ−ＤＬ）設定の指示を通信すること（Ｓ１３３ａ）と、
前記参照ＵＬ−ＤＬ設定を選択すること（Ｓ１３３ｂ）であって、前記参照ＵＬ−ＤＬ設定は、前記無線デバイス（２２）が、前記第１のＵＬ−ＤＬ設定と前記参照ＵＬ−ＤＬ設定との比較に基づいて、前記少なくとも１つのスケジュールされた通信リソースのために、前記ＬＴＥ無線アクセスネットワークおよび前記ＮＲ無線アクセスネットワークのうちのどちらの無線アクセスネットワークを使用すべきかを決定することを可能にする、前記参照ＵＬ−ＤＬ設定を選択すること（Ｓ１３３ｂ）と、
前記無線デバイス（２２）に、前記参照ＵＬ−ＤＬ設定の指示を通信すること（Ｓ１３５）と
をさらに含む、請求項２８から３１のいずれか一項に記載の方法。
【請求項３３】
前記参照ＵＬ−ＤＬ設定を前記選択すること（Ｓ１３３ｂ）は、
前記第１のＵＬ−ＤＬ設定によって指示された前記少なくとも１つの通信リソースの通信方向が、前記参照ＵＬ−ＤＬ設定によって指示された前記少なくとも１つの対応する通信リソースの通信方向に一致するかどうかに少なくとも部分的に基づいて、前記参照ＵＬ−ＤＬ設定を選択すること
をさらに含む、請求項３２に記載の方法。
【請求項３４】
前記参照ＵＬ−ＤＬを前記選択すること（Ｓ１３３ｂ）は、
前記少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、前記第１のＵＬ−ＤＬ設定によって指示された前記対応する少なくとも１つの通信リソースの前記通信方向に一致する、前記少なくとも１つの通信リソースの前記通信方向を指示する、前記参照ＵＬ−ＤＬ設定を選択することと、
前記少なくとも１つの通信リソースが、新無線（ＮＲ）アクセスネットワークのためのＵＬリソースであるべきである場合、前記第１のＵＬ−ＤＬ設定によって指示された前記対応する少なくとも１つの通信リソースの前記通信方向に一致しない、前記少なくとも１つの通信リソースの前記通信方向を指示する、前記参照ＵＬ−ＤＬ設定を選択することと
をさらに含む、請求項３２に記載の方法。
【請求項３５】
前記参照ＵＬ−ＤＬ設定が、前記無線デバイス（２２）のためのハイブリッド自動再送要求（ＨＡＲＱ）タイミングをさらに設定する、請求項２８から３４のいずれか一項に記載の方法。
【請求項３６】
前記参照ＵＬ−ＤＬ設定が、複数の時分割複信（ＴＤＤ）設定パターンのうちの１つを指示する、請求項２８から３５のいずれか一項に記載の方法。
【発明の詳細な説明】
【技術分野】
【０００１】
本開示は、無線通信に関し、詳細には、デュアルコネクティビティのためのリソースを設定するための方法および装置に関する。
【背景技術】
【０００２】
デュアルコネクティビティは、デバイスが２つのセルに同時に接続されることを暗示する。図１は、デュアルコネクティビティがＬＴＥ基地局およびＮＲ基地局によって提供される、いくつかの例示的なデュアルコネクティビティアーキテクチャを図示する。
【０００３】
電力制御目的のために、および／あるいは、たとえば、新無線（Ｎｅｗ  Ｒａｄｉｏ：ＮＲ）またはＬｏｎｇ−Ｔｅｒｍ  Ｅｖｏｌｕｔｉｏｎ（ＬＴＥ）など、無線通信ネットワーク上で所与の時間において動作すること（たとえば、単一の送信（Ｔｘ）動作）が可能であるために、ハイブリッド自動再送要求（ＨＡＲＱ）およびスケジューリングタイミングの特定のセットを規定することが考慮された。しかしながら、考慮されたスケジューリングタイミングは、ＬＴＥ側のシングルキャリア動作および周波数分割複信（ＦＤＤ）キャリアのみをカバーする。これは、アーキテクチャオプション３／３Ａ（図１参照）が使用されることに対応し得、これは、一般に、ＬＴＥがマスタセルグループ（ＭＣＧ）であり、ＮＲが２次セルグループ（ＳＣＧ）であるときである。
【０００４】
考慮された１つのソリューションは、ＬＴＥ側のダウンリンク（ＤＬ）、すなわち、ネットワークノード、たとえば基地局から無線デバイスへの、目的のための無線デバイス（たとえば、ユーザ機器（ＵＥ））が、時分割複信（ＴＤＤ）ＨＡＲＱタイミング参照設定で設定され得ることである。これは、すなわち、無線デバイスからネットワークノード、たとえば基地局への、特定のアップリンク（ＵＬ）サブフレーム（たとえば、ＵＬ／ＤＬ設定によって与えられるもの）へのフィードバックのためのＨＡＲＱビットを含んでいることがある。これは、ＦＤＤキャリアがＴＤＤキャリアとしてＨＡＲＱ−ＡＣＫタイミングを動作させることを開始し得ることを暗示し得る。無線デバイスは、その時間オケージョンを仮定し得、ここにおいて、ＴＤＤ  ＵＬ／ＤＬ設定によって与えられるＵＬサブフレームが、ＵＬにおけるＬＴＥ送信のためにのみ使用される。さらに、すべての他のオケージョンにおいて、無線デバイスは、ＮＲがＵＬにおいて送信することができると仮定し得る。
【０００５】
物理アップリンク共有チャネル（ＰＵＳＣＨ）のＵＬスケジューリングがＬＴＥ側のこれらのオケージョンにおいて終了することを確実にするために、１０ｍｓラウンドトリップタイム（ＲＴＴ）が使用され得ることが考慮された。
【０００６】
Ｅ−ＵＴＲＡＮ新無線−デュアルコネクティビティ（ＥＮ−ＤＣ）において動作する無線デバイスの場合、ＦＤＤ１次セル（ＰＣｅｌｌ）上でケース１ＨＡＲＱタイミングで設定されたとき、１つの考慮されたソリューションが、以下の仕様を含み得る。
・現在のダウンリンク制御情報（ＤＣＩ）フォーマットサイズに対して、ＣＳＳにおけるフォーマットＤＣＩ０および１Ａについて、変更なし。
・無線デバイスは、物理ＨＡＲＱインジケータチャネル（ＰＨＩＣＨ）を使用しない。
・ＵＬスケジューリング／ＨＡＲＱタイミングは、以下の通りである。
ＰＵＳＣＨ  ＨＡＲＱラウンドトリップ時間（ＲＴＴ）は１０ｍｓである。
サブフレームｎにおけるＵＬグラントは、サブフレームｎ＋４におけるＰＵＳＣＨをスケジュールしており、同じＵＬ  ＨＡＲＱプロセスのためのＵＬグラントは、サブフレームｎ＋１０において発生する。
注：これは、ＵＬのためのスケジューリング／ＨＡＲＱタイミングに関する前の合意に取って代わり得る。
・ＵＳＳにおけるＤＣＩフォーマットにおけるダウンリンク割り振りインジケータ（ＤＡＩ）フィールドおよびＨＡＲＱプロセスナンバフィールドは、ＴＤＤ  ＰＣｅｌｌを伴うＦＤＤ２次セル（ＳＣｅｌｌ）の設計に従う。
・以下の例外を除いて、ＴＤＤ  ＰＣｅｌｌを伴うＬＴＥ  ＦＤＤ  ＳＣｅｌｌの場合のように、ＨＡＲＱ−ＡＣＫフィードバックのための物理アップリンク制御チャネル（ＰＵＣＣＨ）フォーマット３／４／５プロシージャをサポートする。
ＤＣＩでスケジュールされる物理ダウンリンク共有チャネル（ＰＤＳＣＨ）に対応するＰＵＣＣＨフォーマット１ａ／１ｂリソースは、ＦＤＤのためのリソース決定プロシージャに基づいて導出される。
無線デバイスは、ＨＡＲＱ−ＡＣＫバンドリングウィンドウ内で、ＣＳＳによってスケジュールされるユニキャストＰＤＳＣＨとＵＳＳによってスケジュールされるユニキャストＰＤＳＣＨの両方を受信することが予想されない。
ユニキャストＰＤＳＣＨがＣＳＳにおいてスケジュールされる場合、無線デバイスはＤＡＩ＝１を仮定する。
・注：いくつかの場合には、上記のことは、ＬＴＥ  ＵＬ送信が、参照ＵＬ／ＤＬ設定の（スペシャルサブフレームを含まない）ＵＬサブフレームにおいてのみ発生するという仕様を変更しないことがある。
・注：いくつかの場合には、ＰＤＳＣＨからＨＡＲＱへのフィードバックタイミングは、ＣＳＳとＵＳＳの両方におけるＤＬ割り振りについて、参照ＵＬ／ＤＬ設定に従い得る。
【０００７】
いくつかのＮＲ−ＬＴＥデュアルコネクティビティアーキテクチャオプション、すなわち、スタンドアロン「ＬＴＥ支援」または「ＮＲ支援」３ＧＰＰシナリオのうちのいくつかによるオプション３／３Ａ、４／４Ａおよび７／７Ａが、図１に示されている。
【０００８】
ＮＲ−ＬＴＥ共存
ＮＲ基地局（ＢＳ）（たとえば、ｇＮＢ）は、ＬＴＥ  ＢＳ（たとえば、ｅＮＢ）と地理的にコロケートされ得るか、または、それらは、異なるサイトに位置し得る。どちらの場合も、ＮＲとＬＴＥとは、同じキャリア周波数上で、またはネイバー周波数上で共存することができる。
【０００９】
既存のソリューションに関する問題のうちの１つは、ＬＴＥキャリアがＴＤＤにおいて動作する場合、考慮された現在のソリューションがいかなるソリューションをも提供しないことである。既存のソリューションは、複数のキャリアがＬＴＥ側で設定される場合にも対処しない。特に、既存のソリューションは、ＦＤＤとＴＤＤの両方において動作するＬＴＥ側のキャリアの混合がある場合に対処しない。
【発明の概要】
【００１０】
いくつかの実施形態は、ＬＴＥおよびＮＲがデュアルコネクティビティ（ＤＣ）モードで動作されるとき、ＬＴＥおよびＮＲのための適用可能なＵＬサブフレームおよび対応するＵＬスロットを導出するための方法および装置を有利に提供する。いくつかのそのような実施形態は、無線デバイスが、たとえばシステム情報ブロック１（ＳＩＢ１）を介して、設定されたＵＬ／ＤＬ設定と比較される参照ＵＬ／ＤＬ設定で基地局によって設定されることを提供する。両方の設定において同じ方向を有するＵＬサブフレーム（たとえば、両方ともＵＬ通信方向または両方ともＤＬ通信方向、言い換えれば、参照ＵＬ／ＤＬ設定のサブフレーム／スロットの通信方向が、対応する（たとえば、ＳＩＢ１）設定されたＵＬ／ＤＬ設定のサブフレーム／スロットの通信方向に一致する）は、ＬＴＥのためのＵＬのために使用され得る。ＵＬサブフレームとＤＬサブフレームとの間で設定間に差がある時間インスタンスの場合、無線デバイスは、そのサブフレームがＬＴＥによって使用されず、その分ＮＲのために使用されると仮定し得る。
【００１１】
いくつかの実施形態では、本開示における実施形態によるＵＬ／ＤＬ参照設定を設定するための機構が、ＬＴＥ側のキャリアアグリゲーション（ＣＡ）動作のために使用され、および／またはそのＣＡ動作に拡張され得る。同じ機構はＣＡのために有用および有益であり得る。
【００１２】
いくつかの実施形態は、有利に、ＬＴＥ側のマルチキャリア動作のために、およびＬＴＥキャリアがＴＤＤを動作させる場合にも、ケース１タイミングを設定する能力を可能にし得る。いくつかの実施形態では、これは、無線デバイスが動的電力共有をサポートしない場合、より高い電力がＵＬにおいて使用されることを可能にすることができる。したがって、ＬＴＥ側とＮＲ側の両方のカバレッジが、より大きくなることができる。
【００１３】
本開示の一態様によれば、ネットワークノードと通信するための無線デバイスが提供される。無線デバイスは処理回路を備え、処理回路は、無線デバイスのデュアルコネクティビティモードについて、第１のアップリンク−ダウンリンク（ＵＬ−ＤＬ）設定の指示を受信することと、第１のＵＬ−ＤＬ設定を参照ＵＬ−ＤＬ設定と比較すること、および、第１のＵＬ−ＤＬ設定中で指示された少なくとも１つの通信リソースの通信方向が、参照ＵＬ−ＤＬ設定によって指示された少なくとも１つの対応する通信リソースの通信方向に一致するかどうかを決定することと、参照ＵＬ−ＤＬ設定と第１のＵＬ−ＤＬ設定との比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースが使用されるべきであると決定することとを行うように設定される。
【００１４】
この態様のいくつかの実施形態では、処理回路は、たとえば、システム情報ブロックタイプ１（ＳＩＢ１）メッセージ中で、第１のＵＬ−ＤＬ設定を受信するようにさらに設定される。この態様のいくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。この態様のいくつかの実施形態では、少なくとも１つの通信リソースは、第１のＵＬ−ＤＬ設定および参照ＵＬ−ＤＬ設定によって指示されたスロットまたはサブフレームを含む。この態様のいくつかの実施形態では、処理回路は、参照ＵＬ−ＤＬ設定の指示を受信するようにさらに設定される。この態様のいくつかの実施形態では、処理回路は、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向であるかどうかを決定することを行うように設定されることによって、参照ＵＬ−ＤＬ設定を第１のＵＬ−ＤＬ設定と比較するようにさらに設定される。
【００１５】
この態様のいくつかの実施形態では、処理回路は、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向である場合、少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、第１のＵＬ−ＤＬ設定によって指示された少なくとも１つの通信リソースの通信方向も、参照ＵＬ−ＤＬ設定によって指示された少なくとも１つの対応する通信リソースの通信方向もＵＬ方向でない場合、少なくとも１つの通信リソースがＤＬリソースであると決定することと、第１のＵＬ−ＤＬ設定によって指示された少なくとも１つの通信リソースの通信方向がＵＬ方向であり、参照ＵＬ−ＤＬ設定によって指示された少なくとも１つの対応する通信リソースの通信方向がＵＬ方向でない場合、少なくとも１つの通信リソースが、新無線（ＮＲ）アクセスネットワークのためのＵＬリソースであると決定することとを行うように設定されることによって、少なくとも１つの通信リソースの設定を決定するようにさらに設定される。
【００１６】
この態様のいくつかの実施形態では、処理回路は、参照ＵＬ−ＤＬ設定と第１のＵＬ−ＤＬ設定との比較に基づいて、ハイブリッド自動再送要求（ＨＡＲＱ）タイミングを決定することを行うように設定されることによって、少なくとも１つの通信リソースの設定を決定するようにさらに設定される。この態様のいくつかの実施形態では、参照ＵＬ−ＤＬ設定は、複数の時分割複信（ＴＤＤ）設定パターンのうちの１つを指示する。
【００１７】
本開示の別の態様によれば、無線デバイスにおける方法であって、本方法は、無線デバイスのデュアルコネクティビティモードについて、第１のアップリンク−ダウンリンク（ＵＬ−ＤＬ）設定の指示を受信することと、第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかを決定するために、第１のＵＬ−ＤＬ設定を参照ＵＬ−ＤＬ設定と比較することと、参照ＵＬ−ＤＬ設定と第１のＵＬ−ＤＬ設定との比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のために少なくとも１つの通信リソースが使用されるべきであると決定することとを含む。
【００１８】
この態様のいくつかの実施形態では、第１のＵＬ−ＤＬ設定を受信することは、たとえば、システム情報ブロックタイプ１（ＳＩＢ１）メッセージ中で、第１のＵＬ−ＤＬ設定を受信することをさらに含む。この態様のいくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。この態様のいくつかの実施形態では、少なくとも１つの通信リソースは、第１のＵＬ−ＤＬ設定および参照ＵＬ−ＤＬ設定によって指示されたスロットまたはサブフレームを含む。この態様のいくつかの実施形態では、本方法は、参照ＵＬ−ＤＬ設定の指示を受信することをさらに含む。この態様のいくつかの実施形態では、参照ＵＬ−ＤＬ設定を第１のＵＬ−ＤＬ設定と比較することは、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向であるかどうかを決定することをさらに含む。
【００１９】
この態様のいくつかの実施形態では、少なくとも１つの通信リソースの設定を決定することは、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向である場合、少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、第１のＵＬ−ＤＬ設定によって指示された少なくとも１つの通信リソースの通信方向も、参照ＵＬ−ＤＬ設定によって指示された少なくとも１つの対応する通信リソースの通信方向もＵＬ方向でない場合、少なくとも１つの通信リソースがダウンリンク（ＤＬ）リソースであると決定することと、第１のＵＬ−ＤＬ設定によって指示された少なくとも１つの通信リソースの通信方向がＵＬ方向であり、参照ＵＬ−ＤＬ設定によって指示された少なくとも１つの対応する通信リソースの通信方向がＵＬ方向でない場合、少なくとも１つの通信リソースが、新無線（ＮＲ）アクセスネットワークのためのＵＬリソースであると決定することとをさらに含む。
【００２０】
この態様のいくつかの実施形態では、少なくとも１つの通信リソースの設定を決定することは、参照ＵＬ−ＤＬ設定と第１のＵＬ−ＤＬ設定との比較に基づいて、ハイブリッド自動再送要求（ＨＡＲＱ）タイミングを決定することをさらに含む。この態様のいくつかの実施形態では、参照ＵＬ−ＤＬ設定は、複数の時分割複信（ＴＤＤ）設定パターンのうちの１つを指示する。
【００２１】
本開示のまた別の態様では、無線デバイスがデュアルコネクティビティモードにあるときに無線デバイスと通信するように設定されたネットワークノードが提供される。ネットワークノードは処理回路を備え、処理回路は、第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための無線デバイスのスケジューリングを決定するように設定される。
【００２２】
この態様のいくつかの実施形態では、処理回路は、たとえば、システム情報ブロックタイプ１（ＳＩＢ１）メッセージ中で、第１のＵＬ−ＤＬ設定を通信するようにさらに設定される。この態様のいくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。この態様のいくつかの実施形態では、少なくとも１つの通信リソースは、第１のＵＬ−ＤＬ設定および参照ＵＬ−ＤＬ設定によって指示されたスロットまたはサブフレームを含む。この態様のいくつかの実施形態では、処理回路は、無線デバイスに、第１のアップリンク−ダウンリンク（ＵＬ−ＤＬ）設定の指示を通信することと、参照ＵＬ−ＤＬ設定を選択することであって、参照ＵＬ−ＤＬ設定は、無線デバイスが、第１のＵＬ−ＤＬ設定と参照ＵＬ−ＤＬ設定との比較に基づいて、少なくとも１つのスケジュールされた通信リソースのために、ＬＴＥ無線アクセスネットワークおよびＮＲ無線アクセスネットワークのうちのどちらの無線アクセスネットワークを使用すべきかを決定することを可能にする、参照ＵＬ−ＤＬ設定を選択することと、無線デバイスに、参照ＵＬ−ＤＬ設定の指示を通信することとを行うようにさらに設定される。この態様のいくつかの実施形態では、処理回路は、第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかに少なくとも部分的に基づいて、参照ＵＬ−ＤＬ設定を選択するように設定されることによって、参照ＵＬ−ＤＬ設定を選択するようにさらに設定される。
【００２３】
この態様のいくつかの実施形態では、処理回路は、少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、第１のＵＬ−ＤＬ設定によって指示された対応する少なくとも１つの通信リソースの通信方向に一致する、少なくとも１つの通信リソースの通信方向を指示する、参照ＵＬ−ＤＬ設定を選択することと、少なくとも１つの通信リソースが、新無線（ＮＲ）アクセスネットワークのためのＵＬリソースであるべきである場合、第１のＵＬ−ＤＬ設定によって指示された対応する少なくとも１つの通信リソースの通信方向に一致しない、少なくとも１つの通信リソースの通信方向を指示する、参照ＵＬ−ＤＬ設定を選択することとを行うように設定されることによって、参照ＵＬ−ＤＬ設定を選択するようにさらに設定される。この態様のいくつかの実施形態では、参照ＵＬ−ＤＬ設定は、無線デバイスのためのハイブリッド自動再送要求（ＨＡＲＱ）タイミングをさらに設定する。この態様のいくつかの実施形態では、参照ＵＬ−ＤＬ設定は、複数の時分割複信（ＴＤＤ）設定パターンのうちの１つを指示する。
【００２４】
本開示のまた別の態様では、ネットワークノードにおける方法が提供される。本方法は、第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための無線デバイスのスケジューリングを決定することを含む。
【００２５】
この態様のいくつかの実施形態では、本方法は、たとえば、システム情報ブロックタイプ１（ＳＩＢ１）メッセージ中で、第１のＵＬ−ＤＬ設定の指示を通信することをさらに含む。この態様のいくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。この態様のいくつかの実施形態では、少なくとも１つの通信リソースは、第１のＵＬ−ＤＬ設定および参照ＵＬ−ＤＬ設定によって指示されたスロットまたはサブフレームを含む。この態様のいくつかの実施形態では、本方法は、無線デバイスに、第１のアップリンク−ダウンリンク（ＵＬ−ＤＬ）設定の指示を通信することと、参照ＵＬ−ＤＬ設定を選択することであって、参照ＵＬ−ＤＬ設定は、無線デバイスが、第１のＵＬ−ＤＬ設定と参照ＵＬ−ＤＬ設定との比較に基づいて、少なくとも１つのスケジュールされた通信リソースのために、ＬＴＥ無線アクセスネットワークおよびＮＲ無線アクセスネットワークのうちのどちらの無線アクセスネットワークを使用すべきかを決定することを可能にする、参照ＵＬ−ＤＬ設定を選択することと、無線デバイスに、参照ＵＬ−ＤＬ設定の指示を通信することとをさらに含む。この態様のいくつかの実施形態では、参照ＵＬ−ＤＬ設定を選択することは、第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかに少なくとも部分的に基づいて、参照ＵＬ−ＤＬ設定を選択することをさらに含む。
【００２６】
この態様のいくつかの実施形態では、参照ＵＬ−ＤＬを選択することは、少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、第１のＵＬ−ＤＬ設定によって指示された対応する少なくとも１つの通信リソースの通信方向に一致する、少なくとも１つの通信リソースの通信方向を指示する、参照ＵＬ−ＤＬ設定を選択することと、少なくとも１つの通信リソースが、新無線（ＮＲ）アクセスネットワークのためのＵＬリソースであるべきである場合、第１のＵＬ−ＤＬ設定によって指示された対応する少なくとも１つの通信リソースの通信方向に一致しない、少なくとも１つの通信リソースの通信方向を指示する、参照ＵＬ−ＤＬ設定を選択することとをさらに含む。この態様のいくつかの実施形態では、参照ＵＬ−ＤＬ設定は、無線デバイスのためのハイブリッド自動再送要求（ＨＡＲＱ）タイミングをさらに設定する。この態様のいくつかの実施形態では、参照ＵＬ−ＤＬ設定は、複数の時分割複信（ＴＤＤ）設定パターンのうちの１つを指示する。
【００２７】
添付の図面とともに考慮されるとき、以下の詳細な説明を参照することによって、本実施形態のより完全な理解、ならびにそれらの付随する利点および特徴がより容易に理解されよう。
【図面の簡単な説明】
【００２８】
【図１】例示的なＮＲ−ＬＴＥデュアルコネクティビティアーキテクチャオプションのブロック図である。
【図２】例示的なＮＲ展開のブロック図である。
【図３】本開示における原理による、中間ネットワークを介してホストコンピュータに接続された通信システムを示す例示的なネットワークアーキテクチャの概略図である。
【図４】本開示のいくつかの実施形態による、少なくとも部分的に無線接続上で、ネットワークノードを介して無線デバイスと通信するホストコンピュータのブロック図である。
【図５】本開示のいくつかの実施形態による、無線デバイスにおいてクライアントアプリケーションを実行するための、ホストコンピュータとネットワークノードと無線デバイスとを含む通信システムにおいて実装される例示的な方法を示すフローチャートである。
【図６】本開示のいくつかの実施形態による、無線デバイスにおいてユーザデータを受信するための、ホストコンピュータとネットワークノードと無線デバイスとを含む通信システムにおいて実装される例示的な方法を示すフローチャートである。
【図７】本開示のいくつかの実施形態による、ホストコンピュータにおいて無線デバイスからユーザデータを受信するための、ホストコンピュータとネットワークノードと無線デバイスとを含む通信システムにおいて実装される例示的な方法を示すフローチャートである。
【図８】本開示のいくつかの実施形態による、ホストコンピュータにおいてユーザデータを受信するための、ホストコンピュータとネットワークノードと無線デバイスとを含む通信システムにおいて実装される例示的な方法を示すフローチャートである。
【図９】本開示のいくつかの実施形態による、ネットワークノードにおける例示的なプロセスのフローチャートである。
【図１０】本開示のいくつかの実施形態による、無線デバイスにおける例示的なプロセスのフローチャートである。
【発明を実施するための形態】
【００２９】
また、ＮＲ展開シナリオの例が図２に示されている。ＮＲとＬＴＥとの共存が、同じまたはネイバー周波数上のＴＤＤシステムにおいて採用されるとき（たとえば、コロケートされたＮＲ  ＢＳとＬＴＥ  ＢＳとの場合のような、同じエリアにおけるＬＴＥおよびＮＲ）、ＮＲおよびＬＴＥは、干渉を最小限に抑えるために、タイミングアドバンス（ＴＡ）オフセットを含む同じＴＤＤ設定を使用し得る。
【００３０】
一例は、ＬＴＥキャリア内の未使用リソースが、送信されるＮＲ信号のために使用され得ることである。これは、特に、ＵＬキャリアにおいて使用され得る。ＵＬにおけるこのＮＲ−ＬＴＥ共存の少なくとも２つの場合、すなわち、無線デバイス透過型（ｗｉｒｅｌｅｓｓ  ｄｅｖｉｃｅ  ｔｒａｎｓｐａｒｅｎｔ）および無線デバイス非透過型（ｗｉｒｅｌｅｓｓ  ｄｅｖｉｃｅ  ｎｏｎ−ｔｒａｎｓｐａｒｅｎｔ）がある。前者の場合、同じＵＬキャリアが、２つの異なる無線デバイスによってＬＴＥとＮＲとの間で共有される（たとえば、無線デバイス１がＬＴＥを使用して送信し、無線デバイス２がＮＲを使用して送信する）。後者の場合、（たとえば、ＵＬキャリアアグリゲーション（ＣＡ）と同様に）ＬＴＥ信号とＮＲ信号の両方を送信するために、同じＵＬキャリアが同じ無線デバイスによって使用される。
【００３１】
本明細書で説明されるいくつかの実施形態は、ＮＲとＬＴＥとの共存が、同じまたはネイバー周波数上のＴＤＤシステムにおいて採用されるとき、ならびにＮＲおよびＬＴＥがデュアルコネクティビティ（ＤＣ）モードで動作されるとき、ＬＴＥおよびＮＲのための適用可能なＵＬサブフレームおよび対応するＵＬスロットを導出するための方法および装置を有利に提供する。
【００３２】
例示的な実施形態について詳細に説明する前に、実施形態は、主に、ＴＤＤおよび／またはＣＡのための共存動作のための通信リソース設定に関係する、装置構成要素と処理ステップとの組合せ中に存在することに留意されたい。それに応じて、本明細書の説明の利益を有する当業者に容易に明らかになるであろう詳細で本開示を不明瞭にしないように、適切な場合、図面において構成要素が従来のシンボルによって表され、実施形態を理解することに関係するそれらの具体的な詳細のみを示す。同様の番号は、説明全体にわたって同様のエレメントを指す。
【００３３】
本明細書で使用される、「第１」および「第２」、「上部」および「下部」などの関係語は、単に、あるエンティティまたはエレメントを別のエンティティまたはエレメントと区別するために、必ずしも、そのようなエンティティまたはエレメント間の何らかの物理的または論理的関係または順序を必要とすることまたは暗示することなしに、使用され得る。本明細書で使用される専門用語は、特定の実施形態を説明するためのものにすぎず、本明細書で説明される概念を限定するものではない。本明細書で使用される単数形「ａ」、「ａｎ」および「ｔｈｅ」は、文脈が別段に明確に指示しない限り、複数形をも含むものとする。さらに、本明細書で使用される「備える、含む（ｃｏｍｐｒｉｓｅｓ）」、「備える、含む（ｃｏｍｐｒｉｓｉｎｇ）」、「含む（ｉｎｃｌｕｄｅｓ）」、および／または「含む（ｉｎｃｌｕｄｉｎｇ）」という用語は、述べられた特徴、整数、ステップ、動作、エレメント、および／または構成要素の存在を指定するが、１つまたは複数の他の特徴、整数、ステップ、動作、エレメント、構成要素、および／またはそれらのグループの存在または追加を排除しないことを理解されよう。
【００３４】
本明細書で説明される実施形態では、結合用語（ｊｏｉｎｉｎｇ  ｔｅｒｍ）「と通信している（ｉｎ  ｃｏｍｍｕｎｉｃａｔｉｏｎ  ｗｉｔｈ）」などは、たとえば、物理的な接触、誘導、電磁放射、無線シグナリング、赤外線シグナリングまたは光シグナリングによって達成され得る、電気またはデータ通信を指示するために使用され得る。複数の構成要素が相互動作し得ること、ならびに修正および変形が、電気およびデータ通信を達成することについて可能であることを、当業者は諒解されよう。
【００３５】
本明細書で説明されるいくつかの実施形態では、「結合された」、「接続された」などという用語は、必ずしも直接とは限らないが、接続を指示するために本明細書で使用され得、有線接続および／または無線接続を含み得る。
【００３６】
本明細書で使用される「ネットワークノード」という用語は、基地局（ＢＳ）、無線基地局、基地トランシーバ局（ＢＴＳ）、基地局コントローラ（ＢＳＣ）、無線ネットワークコントローラ（ＲＮＣ）、ｇノードＢ（ｇＮＢ）、エボルブドノードＢ（ｅＮＢまたはｅノードＢ）、ノードＢ、マルチスタンダード無線（ＭＳＲ）ＢＳなどのＭＳＲ無線ノード、マルチセル／マルチキャスト協調エンティティ（ＭＣＥ）、リレーノード、統合アクセスおよびバックホール（ＩＡＢ：ｉｎｔｅｇｒａｔｅｄ  ａｃｃｅｓｓ  ａｎｄ  ｂａｃｋｈａｕｌ）ノード、ドナーノード制御リレー、無線アクセスポイント（ＡＰ）、送信ポイント、送信ノード、リモートラジオユニット（ＲＲＵ）、リモート無線ヘッド（ＲＲＨ）、コアネットワークノード（たとえば、モバイル管理エンティティ（ＭＭＥ）、自己組織化ネットワーク（ＳＯＮ）ノード、協調ノード、測位ノード、ＭＤＴノードなど）、外部ノード（たとえば、第三者ノード、現在のネットワークの外部のノード）、分散アンテナシステム（ＤＡＳ）におけるノード、スペクトルアクセスシステム（ＳＡＳ）ノード、エレメント管理システム（ＥＭＳ）などのいずれかをさらに備え得る、無線ネットワーク中に備えられる任意の種類のネットワークノードであり得る。ネットワークノードは、テスト機器をも備え得る。本明細書で使用される「無線ノード」という用語は、無線デバイス（無線デバイス）または無線ネットワークノードなどの無線デバイス（無線デバイス）を示すためにも使用され得る。
【００３７】
いくつかの実施形態では、無線デバイス（無線デバイス）またはユーザ機器（ＵＥ）という非限定的な用語が互換的に使用される。本明細書の無線デバイスは、無線デバイス（無線デバイス）など、無線信号を介してネットワークノードまたは別の無線デバイスと通信することが可能な任意のタイプの無線デバイスであり得る。無線デバイスはまた、無線通信デバイス、ターゲットデバイス、デバイスツーデバイス（Ｄ２Ｄ）無線デバイス、マシン型無線デバイスまたはマシンツーマシン通信（Ｍ２Ｍ）が可能な無線デバイス、低コストおよび／または低複雑度無線デバイス、無線デバイスを装備したセンサー、タブレット、モバイル端末、スマートフォン、ラップトップ組込み装備（ＬＥＥ）、ラップトップ搭載機器（ＬＭＥ）、ＵＳＢドングル、顧客構内機器（ＣＰＥ）、モノのインターネット（ＩｏＴ）デバイス、または狭帯域ＩｏＴ（ＮＢ−ＩＯＴ）デバイスなどであり得る。
【００３８】
また、いくつかの実施形態では、「無線ネットワークノード」という一般用語が使用される。無線ネットワークノードは、基地局、無線基地局、基地トランシーバ局、基地局コントローラ、ネットワークコントローラ、ＲＮＣ、エボルブドノードＢ（ｅＮＢ）、ノードＢ、ｇＮＢ、マルチセル／マルチキャスト協調エンティティ（ＭＣＥ）、リレーノード、ＩＡＢノード、アクセスポイント、無線アクセスポイント、リモートラジオユニット（ＲＲＵ）、リモート無線ヘッド（ＲＲＨ）のいずれかを備え得る、任意の種類の無線ネットワークノードであり得る。
【００３９】
本開示では、たとえば、３ＧＰＰ  ＬＴＥおよび／または新無線（ＮＲ）など、１つの特定の無線システムからの専門用語が使用され得るが、これは、本開示の範囲を上述のシステムのみに限定するものと見なされるべきでないことに留意されたい。限定はしないが、広帯域符号分割多元接続（ＷＣＤＭＡ）、ワールドワイドインターオペラビリティフォーマイクロウェーブアクセス（ＷｉＭａｘ）、ウルトラモバイルブロードバンド（ＵＭＢ）、および汎欧州デジタル移動電話方式（ＧＳＭ）を含む、他の無線システムも、本開示内でカバーされるアイデアを活用することから恩恵を受け得る。
【００４０】
いくつかの実施形態では、「パターン」および「サブフレームパターン」および「スロットパターン」という用語は、たとえば、ＵＬおよびＤＬ通信のためのリソースで設定されるフレームにおいて、時間リソースの時間リソースパターンを指示するために、ＴＤＤ  ＵＬ／ＤＬ設定のために互換的に使用される。
【００４１】
いくつかの実施形態では、ＵＬ／ＤＬ設定は、ＴＤＤフレームのＵＬ−ＤＬ設定を指定し得る。いくつかの実施形態では、アップリンク−ダウンリンク設定は、たとえばＬＴＥにおいて、どのサブフレームがダウンリンクとして設定されるか、どれがアップリンクであるか、およびどれがスペシャルサブフレームであるかを決定する。いくつかの実施形態では、たとえばＬＴＥにおいて、７つのアップリンク−ダウンリンク設定がある。
【００４２】
いくつかの実施形態では、参照ＵＬ／ＤＬ設定は、たとえば、システム情報として送られ得る、ＴＤＤのための一般的なＵＬ／ＤＬ設定とは異なるおよび／または別個であるリソース設定を指示するものとする。いくつかの実施形態では、参照ＵＬ／ＤＬ設定は、ＵＬリソースが、ＴＤＤにおいて重複しない時間リソース設定を有するように、ＬＴＥのみのために設定されるべきであるのか、ＮＲのみのために設定されるべきであるのかを決定するために、ＬＴＥ  ＢＳおよびＮＲ  ＢＳからの一般的なＵＬ／ＤＬ設定と比較するために使用されるものとする。
【００４３】
いくつかの実施形態では、通信リソースという用語は、たとえばＣＡのための周波数リソース、および／またはたとえばＤＣのための時間リソースのいずれかを指示するものとする。いくつかの実施形態では、通信リソースという用語は、スロットおよび／またはサブフレームを指示するものとする。
【００４４】
いくつかの実施形態では、通信方向という用語は、ＵＬ通信方向（すなわち、無線デバイスからネットワークノードへの通信）および／またはＤＬ通信方向（すなわち、ネットワークノードから無線デバイスへの方向の通信）を指示するものとする。
【００４５】
本明細書で使用される時間リソースという用語は、時間の長さに関して表される任意のタイプの物理リソースまたは無線リソースに対応し得る。時間リソースの例は、シンボル、タイムスロット、サブフレーム、無線フレーム、ＴＴＩ、インターリービング時間などである。いくつかの実施形態では、本明細書で使用される「サブフレーム」、「スロット」、「サブフレーム／スロット」および「時間リソース」という用語は、互換的に使用され、時間リソースおよび／または時間リソース番号を指示するものとする。
【００４６】
セルは、概して、ノードによって提供される、たとえばセルラーまたはモバイル通信ネットワークの、通信セルであり得る。たとえば、ノードおよび／またはユーザ機器および／またはネットワークがＬＴＥ規格に従う場合、サービングセルは、そのセル上でまたはそのセルを介して、ネットワークノード（セルを提供するかまたはセルに関連するノード、たとえば、基地局またはｅノードＢ）が、ユーザ機器に、（ブロードキャストデータ以外のデータであり得る）データ、特に制御および／またはユーザデータもしくはペイロードデータを送信しおよび／または送信し得、ならびに／あるいは、そのセル上でまたはそのセルを介して、ユーザ機器がノードにデータを送信しおよび／または送信し得る、セルであり得、サービングセルは、そのセルのためにまたはそのセル上でユーザ機器が設定され、ならびに／あるいは、そのセルにユーザ機器が同期され、および／または、そのセルにユーザ機器がアクセスプロシージャ、たとえばランダムアクセスプロシージャを実施しており、ならびに／あるいは、そのセルに関してユーザ機器がＲＲＣ＿ｃｏｎｎｅｃｔｅｄまたはＲＲＣ＿ｉｄｌｅ状態にある、セルであり得る。１つまたは複数のキャリア（たとえば、１つまたは複数のアップリンクおよび／またはダウンリンクキャリア、ならびに／あるいはアップリンクとダウンリンクの両方のためのキャリア）が、セルに関連し得る。
【００４７】
セルラー通信について、たとえば、ネットワークノード、特に基地局またはｅノードＢによって提供され得る、セルを介しておよび／または規定して、少なくとも１つのアップリンク（ＵＬ）接続および／またはチャネルおよび／またはキャリアと、少なくとも１つのダウンリンク（ＤＬ）接続および／またはチャネルおよび／またはキャリアとが提供されると見なされ得る。アップリンク方向は、端末からネットワークノード、たとえば、基地局および／またはリレー局へのデータ転送方向を指し得る。ダウンリンク方向は、ネットワークノード、たとえば、基地局および／またはリレーノードから端末へのデータ転送方向を指し得る。ＵＬとＤＬとは、異なる周波数リソース、たとえば、キャリアおよび／またはスペクトル帯域に関連し得る。セルは、異なる周波数帯域を有し得る、少なくとも１つのアップリンクキャリアと少なくとも１つのダウンリンクキャリアとを含み得る。ネットワークノード、たとえば、基地局またはｅノードＢは、１つまたは複数のセル、たとえば、ＰＣｅｌｌおよび／またはＬＡセルを提供および／または規定および／または制御するように適応され得る。
【００４８】
ダウンリンクにおいて送信することは、ネットワークまたはネットワークノードから端末への送信に関し得る。アップリンクにおいて送信することは、端末からネットワークまたはネットワークノードへの送信に関し得る。サイドリンクにおいて送信することは、ある端末から別の端末への（直接）送信に関し得る。アップリンク、ダウンリンクおよびサイドリンク（たとえば、サイドリンク送信および受信）は、通信方向と見なされ得る。いくつかの変形態では、アップリンクおよびダウンリンクはまた、たとえば、たとえば基地局または同様のネットワークノード間の、無線バックホールおよび／またはリレー通信ならびに／あるいは（無線）ネットワーク通信、特にそのようなものにおいて終端する通信のための、ネットワークノード間の無線通信について説明するために使用され得る。バックホールおよび／またはリレー通信、ならびに／あるいはネットワーク通信は、サイドリンクまたはアップリンク通信あるいはそれらと同様のものの形式として実装されると見なされ得る。
【００４９】
端末または無線デバイスまたはノードを設定することは、無線デバイスまたはノードに、その設定、たとえば、少なくとも１つのセッティングおよび／またはレジスタエントリおよび／または動作モードを変更するように命令すること、ならびに／あるいはそれらを変更させることを伴い得る。端末または無線デバイスまたはノードは、たとえば、端末または無線デバイスのメモリ中の情報またはデータに従って、それ自体を設定するように適応され得る。他のデバイスまたはノードまたはネットワークによって、ノードまたは端末または無線デバイスを設定することは、他のデバイスまたはノードまたはネットワークによって、無線デバイスまたはノードに、情報および／またはデータおよび／または命令、たとえば、（また、設定データであり、および／または設定データを含み得る）割り当てデータおよび／またはスケジューリングデータおよび／またはスケジューリンググラントを送信することを指しおよび／または含み得る。端末を設定することは、どの変調および／または符号化を使用すべきかを指示する割り当て／設定データを端末に送ることを含み得る。端末は、スケジューリングデータでおよび／またはスケジューリングデータについて設定され、ならびに／あるいは、たとえば送信のために、スケジュールされたおよび／もしくは割り当てられたアップリンクリソースを使用し、および／または、たとえば受信のために、スケジュールされたおよび／もしくは割り当てられたダウンリンクリソースを使用するように設定され得る。アップリンクリソースおよび／またはダウンリンクリソースは、割り当てまたは設定データでスケジュールされ、および／あるいは割り当てまたは設定データを提供され得る。
【００５０】
無線ノード、特に端末またはユーザ機器または無線デバイス２２を設定することは、無線ノードが、その設定に従って、動作するように適応され、または動作させられ、または動作するようにセットされ、および／または動作するように命令されることを指し得る。設定することは、別のデバイス、たとえば、ネットワークノード１６（たとえば、基地局またはｅノードＢのような、ネットワークの無線ノード）またはネットワークによって行われ得、その場合、設定することは、設定されるべき無線ノードに設定データを送信することを含み得る。そのような設定データは、設定されるべき設定を表し、ならびに／あるいは、設定、たとえば、割り当てられたリソース、特に周波数リソース上で送信および／もしくは受信するための設定、または、たとえば、いくつかのサブフレームもしくは無線リソース上でいくつかの測定を実施するための設定に関する１つまたは複数の命令を含み得る。無線ノードは、無線ノード自体を、たとえば、ネットワークまたはネットワークノード１６から受信された設定データに基づいて設定し得る。ネットワークノード１６は、設定するために、ネットワークノードの１つまたは複数の回路を使用し、および／または使用するように適応され得る。割り当て情報は、設定データの形式と見なされ得る。設定データは、設定情報、および／または１つまたは複数の対応する指示および／または１つまたは複数のメッセージを含み、ならびに／あるいは、それらによって表され得る。
【００５１】
概して、設定することは、設定を表す設定データを決定することと、その設定データを１つまたは複数の他のノードに（並列におよび／または順次）提供すること、たとえば送信することとを含み得、１つまたは複数の他のノードは、その設定データをさらに無線ノードに送信し得る（または別のノードに送信し得、これは、その設定データが無線デバイス２２に達するまで繰り返され得る）。代替または追加として、たとえば、ネットワークノード１６または他のデバイスによって、無線ノードを設定することは、たとえば、ネットワークのより高いレベルのノードであり得るネットワークノード１６のような別のノードから、設定データ、および／または設定データに関するデータを受信すること、ならびに／あるいは受信された設定データを無線ノードに送信することを含み得る。したがって、設定を決定することと、設定データを無線ノードに送信することとは、好適なインターフェース、たとえば、ＬＴＥの場合のＸ２インターフェース、またはＮＲのための対応するインターフェースを介して通信することが可能であり得る、異なるネットワークノードまたはエンティティによって実施され得る。端末（たとえば、無線デバイス２２）を設定することは、端末のためのダウンリンクおよび／またはアップリンク送信、たとえば、ダウンリンクデータおよび／もしくはダウンリンク制御シグナリングおよび／またはＤＣＩおよび／またはアップリンク制御もしくはデータもしくは通信シグナリング、特に確認応答シグナリングをスケジュールすること、ならびに／あるいはリソースおよび／またはリソースのためのリソースプールを設定することを含み得る。特に、端末（たとえば、無線デバイス２２）を設定することは、いくつかのサブフレームまたは無線リソース上でいくつかの測定を実施するように無線デバイス２２を設定することと、そのような測定を本開示の実施形態に従って報告することとを含み得る。
【００５２】
シグナリングは、１つまたは複数の信号および／またはシンボルを含み得る。参照シグナリングは、１つまたは複数の参照信号および／またはシンボルを含み得る。データシグナリングは、データ、特に、ユーザデータならびに／あるいはペイロードデータならびに／あるいは１つまたは複数の無線および／または物理レイヤより上の通信レイヤからのデータを含んでいる、信号および／またはシンボルに関し得る。復調用参照シグナリングが１つまたは複数の復調用信号および／またはシンボルを含むと見なされ得る。復調用参照シグナリングは、特に、３ＧＰＰおよび／またはＬＴＥ技術によるＤＭＲＳを含み得る。復調用参照シグナリングは、概して、関連するデータシグナリングまたはデータを復号および／または復調するために、端末のような受信デバイスに参照を提供するシグナリングを表すと見なされ得る。復調用参照シグナリングは、データまたはデータシグナリングに、特に、特定のデータまたはデータシグナリングに関連し得る。データシグナリングおよび復調用参照シグナリングは、インターレースおよび／または多重化される、たとえば、たとえばサブフレームまたはスロットまたはシンボルをカバーする同じ時間間隔において、および／あるいはリソースブロックのような同じ時間周波数リソース構造において構成されると見なされ得る。リソースエレメントは、たとえば、共通変調において表される１つのシンボルまたはビット数によってカバーされる時間および周波数レンジを表す、最も小さい時間周波数リソースを表し得る。リソースエレメントは、たとえば、特に３ＧＰＰおよび／またはＬＴＥ規格における、シンボル時間長およびサブキャリアをカバーし得る。データ送信は、特定のデータ、たとえば、データの特定のブロックおよび／またはトランスポートブロックの送信を表し、ならびに／あるいはその送信に関し得る。概して、復調用参照シグナリングは、復調用参照シグナリングを識別および／または規定し得る、信号および／またはシンボルのシーケンスを含み、ならびに／あるいはそのシーケンスを表し得る。
【００５３】
無線デバイスまたはネットワークノードによって実施されるものとして本明細書で説明される機能が、複数の無線デバイスおよび／またはネットワークノード上で分散され得ることにさらに留意されたい。言い換えれば、本明細書で説明されるネットワークノードおよび無線デバイスの機能は、単一の物理デバイスによる実施に限定されず、実際は、いくつかの物理デバイス間で分散され得ると考えられる。
【００５４】
別段に規定されていない限り、本明細書で使用される（技術用語および科学用語を含む）すべての用語は、本開示が属する技術の当業者によって通常理解されるものと同じ意味を有する。本明細書で使用される用語は、本明細書および関連技術の文脈におけるそれらの用語の意味に従う意味を有するものとして解釈されるべきであり、明確にそのように本明細書で規定されていない限り、理想的なまたは過度に形式的な意味において解釈されないことをさらに理解されよう。
【００５５】
本開示のいくつかの実施形態は、ＬＴＥおよびＮＲがデュアルコネクティビティモードで動作されるとき、ＬＴＥおよびＮＲのための適用可能なＵＬサブフレームおよび対応するＵＬスロットを導出するための方法および装置を提供する。そのような実施形態は、無線デバイスが、たとえばシステム情報ブロック１（ＳＩＢ１）を介して、設定されたＵＬ／ＤＬ設定と比較される参照ＵＬ／ＤＬ設定で基地局によって設定されることを提供し得る。両方の設定において同じ方向を有するＵＬサブフレームは、ＬＴＥのためのＵＬのために使用され得る。ＵＬサブフレームとＤＬサブフレームとの間で設定間に差がある（たとえば、異なるＵＬ／ＤＬ設定における反対の通信方向）時間リソース（たとえば、タイムスロット番号および／またはサブフレーム番号）の場合、無線デバイスは、そのサブフレームがＬＴＥによって使用されず、その分ＮＲのために使用されると仮定し得る。
【００５６】
いくつかの実施形態では、ＵＬ／ＤＬ参照設定を設定する機構は、代わりに、ＬＴＥ側のＣＡ動作によって使用され得、および／またはそのＣＡ動作に拡張され得る。同じ機構はＣＡ動作のために有用および有益であり得る。
【００５７】
図面に戻ると、同様のエレメントが同様の参照番号によって参照されており、図３では、一実施形態による、無線アクセスネットワークなどのアクセスネットワーク１２とコアネットワーク１４とを備える、ＬＴＥおよび／またはＮＲ（５Ｇ）などの規格をサポートし得る３ＧＰＰタイプセルラーネットワークなど、通信システム１０の概略図が示されている。アクセスネットワーク１２は、各々が、対応する（まとめてカバレッジエリア１８と呼ばれる）カバレッジエリア１８ａ、１８ｂ、１８ｃを規定する、ＮＢ、ｅＮＢ、ｇＮＢまたは他のタイプの無線アクセスポイントなど、（まとめてネットワークノード１６と呼ばれる）複数のネットワークノード１６ａ、１６ｂ、１６ｃを備える。各ネットワークノード１６ａ、１６ｂ、１６ｃは、有線接続または無線接続２０上でコアネットワーク１４に接続可能である。カバレッジエリア１８ａ中に位置する第１の無線デバイス（無線デバイス）２２ａが、対応するネットワークノード１６ｃに無線で接続するように設定されるか、または対応するネットワークノード１６ｃによってページングされるように設定される。カバレッジエリア１８ｂ中の第２の無線デバイス２２ｂが、対応するネットワークノード１６ａに無線で接続可能である。この例では（まとめて無線デバイス２２と呼ばれる）複数の無線デバイス２２ａ、２２ｂが示されているが、開示される実施形態は、唯一の無線デバイスがカバレッジエリア中にある状況、または、唯一の無線デバイスが、対応するネットワークノード１６に接続している状況に、等しく適用可能である。便宜上、２つの無線デバイス２２および３つのネットワークノード１６のみが示されているが、通信システムは、より多くの無線デバイス２２およびネットワークノード１６を含み得ることに留意されたい。
【００５８】
また、無線デバイス２２が、２つ以上のネットワークノード１６および２つ以上のタイプのネットワークノード１６と同時通信しており、ならびに／またはそれらと別々に通信するように設定され得ると考えられる。たとえば、無線デバイス２２は、ＬＴＥをサポートするネットワークノード１６およびＮＲをサポートする同じまたは異なるネットワークノード１６とのデュアルコネクティビティを有することができる。一例として、無線デバイス２２は、ＬＴＥ／Ｅ−ＵＴＲＡＮのためのｅＮＢおよびＮＲ／ＮＧ−ＲＡＮのためのｇＮＢと通信していることがある。
【００５９】
通信システム１０は、それ自体、ホストコンピュータ２４に接続され得、ホストコンピュータ２４は、スタンドアロンサーバ、クラウド実装サーバ、分散サーバのハードウェアおよび／またはソフトウェアにおいて、あるいはサーバファーム中の処理リソースとして具現され得る。ホストコンピュータ２４は、サービスプロバイダの所有または制御下にあり得るか、あるいはサービスプロバイダによってまたはサービスプロバイダの代わりに動作され得る。通信システム１０とホストコンピュータ２４との間の接続２６、２８が、コアネットワーク１４からホストコンピュータ２４まで直接延び得るか、または随意の中間ネットワーク３０を介して延び得る。中間ネットワーク３０は、パブリックネットワーク、プライベートネットワーク、またはホストされたネットワークのうちの１つ、またはそれらのうちの２つ以上の組合せであり得る。中間ネットワーク３０は、もしあれば、バックボーンネットワークまたはインターネットであり得る。いくつかの実施形態では、中間ネットワーク３０は、２つまたはそれ以上のサブネットワーク（図示せず）を備え得る。
【００６０】
図３の通信システムは、全体として、接続された無線デバイス２２ａ、２２ｂのうちの１つとホストコンピュータ２４との間のコネクティビティを可能にする。コネクティビティは、オーバーザトップ（ＯＴＴ：ｏｖｅｒ−ｔｈｅ−ｔｏｐ）接続として説明され得る。ホストコンピュータ２４および接続された無線デバイス２２ａ、２２ｂは、アクセスネットワーク１２、コアネットワーク１４、任意の中間ネットワーク３０および可能なさらなるインフラストラクチャ（図示せず）を媒介として使用して、ＯＴＴ接続を介して、データおよび／またはシグナリングを通信するように設定される。ＯＴＴ接続は、ＯＴＴ接続が通過する、参加する通信デバイスのうちの少なくともいくつかが、アップリンクおよびダウンリンク通信のルーティングを認識していないという点で、透過的であり得る。たとえば、ネットワークノード１６が、接続された無線デバイス２２ａにフォワーディング（たとえば、ハンドオーバ）されるべき、ホストコンピュータ２４から発生したデータを伴う着信ダウンリンク通信の過去のルーティングに関して、通知されないことがあり、または通知される必要がない。同様に、ネットワークノード１６は、無線デバイス２２ａから発生してホストコンピュータ２４に向かう発信アップリンク通信の将来ルーティングに気づいている必要がない。
【００６１】
ネットワークノード１６は、第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための無線デバイスのスケジューリングを決定するように設定された設定ユニット３２を含むように設定される。別の実施形態では、設定ユニット３２は、無線デバイス２２に、第１のアップリンク−ダウンリンク（ＵＬ−ＤＬ）設定および第２のＵＬ−ＤＬ設定を通信するように設定され、第２のＵＬ−ＤＬ設定は、無線デバイスに関連する少なくとも１つの通信リソースを、ＵＬリソースおよびＤＬリソースのうちの１つとして設定するための参照ＵＬ−ＤＬ設定である。いくつかの実施形態では、少なくとも１つの通信リソースは、少なくとも１つの時間リソースであり、無線デバイス２２への通信は、少なくとも１つの時間リソースを、時分割複信（ＴＤＤ）フレームにおけるＵＬ時間リソースおよびＤＬ時間リソースのうちの１つとして設定するためのものである。いくつかの実施形態では、少なくとも１つの通信リソースは、少なくとも１つの時間リソースであり、無線デバイス２２への通信は、無線デバイス２２がデュアルコネクティビティ（ＤＣ）モードにあるとき、重複しない通信をスケジュールするために、少なくとも１つの時間リソースを、時分割複信（ＴＤＤ）フレームにおけるＵＬ時間リソースおよびＤＬ時間リソースのうちの１つとして設定するためのものである。いくつかの実施形態では、設定ユニット３２は、第１のＵＬ−ＤＬ設定における少なくとも１つの時間リソースの通信方向と、第２のＵＬ−ＤＬ設定における少なくとも１つの時間リソースの通信方向とが一致するかどうかに少なくとも基づいて、複数のＵＬ−ＤＬ設定のテーブルから参照ＵＬ−ＤＬ設定を選択するようにさらに設定される。いくつかの実施形態では、少なくとも１つの通信リソースは、少なくとも１つの周波数リソースであり、無線デバイス２２への通信は、無線デバイス２２がキャリアアグリゲーション（ＣＡ）モードにあるとき、重複しない通信をスケジュールするために、少なくとも１つの周波数リソースを設定するためのものである。
【００６２】
無線デバイス２２は、第１のアップリンク−ダウンリンク（ＵＬ−ＤＬ）設定の指示を受信することと、第１のＵＬ−ＤＬ設定を参照ＵＬ−ＤＬ設定と比較すること、および、第１のＵＬ−ＤＬ設定中で指示された少なくとも１つの通信リソースの通信方向が、参照ＵＬ−ＤＬ設定によって指示された少なくとも１つの対応する通信リソースの通信方向に一致するかどうかを決定することと、参照ＵＬ−ＤＬ設定と第１のＵＬ−ＤＬ設定との比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースが使用されるべきであると決定することとを行うように設定された、決定ユニット３４を含むように設定される。別の実施形態では、決定ユニット３４は、ネットワークノード１６から、第１のアップリンク−ダウンリンク（ＵＬ−ＤＬ）設定および第２のＵＬ−ＤＬ設定を受信することであって、第２のＵＬ−ＤＬ設定が参照ＵＬ−ＤＬ設定である、第１のＵＬ−ＤＬ設定および第２のＵＬ−ＤＬ設定を受信することと、少なくとも第１のＵＬ−ＤＬ設定と参照ＵＬ−ＤＬ設定との比較に基づいて、無線デバイス２２のための少なくとも１つの通信リソースが、ＵＬリソースおよびＤＬリソースのうちの１つであると決定することとを行うように設定される。いくつかの実施形態では、少なくとも１つの通信リソースは、少なくとも１つの時間リソースであり、決定ユニット３４は、少なくとも１つの時間リソースが、時分割複信（ＴＤＤ）フレームにおけるＵＬ時間リソースおよびＤＬ時間リソースのうちの１つであると決定するように設定される。いくつかの実施形態では、少なくとも１つの通信リソースは、少なくとも１つの時間リソースであり、決定ユニット３４は、無線デバイスがデュアルコネクティビティ（ＤＣ）モードにあるとき、重複しない通信をスケジュールするために、少なくとも１つの時間リソースが、時分割複信（ＴＤＤ）フレームにおけるＵＬ時間リソースおよびＤＬ時間リソースのうちの１つであると決定するように設定される。いくつかの実施形態では、決定ユニット３４は、第１のＵＬ−ＤＬ設定における少なくとも１つの時間リソースの通信方向と、第２のＵＬ−ＤＬ設定における少なくとも１つの時間リソースの通信方向とが一致するかどうかを決定するために、参照ＵＬ−ＤＬ設定を第１のＵＬ−ＤＬ設定と比較するようにさらに設定される。いくつかの実施形態では、少なくとも１つの通信リソースは、少なくとも１つの周波数リソースであり、決定ユニット３４は、無線デバイスがキャリアアグリゲーション（ＣＡ）モードにあるとき、重複しない通信をスケジュールするために、少なくとも１つの周波数リソースに対応する周波数を決定するように設定される。
【００６３】
次に、一実施形態による、前の段落において説明された無線デバイス２２、ネットワークノード１６およびホストコンピュータ２４の例示的な実装形態が、図２を参照しながら説明される。通信システム１０では、ホストコンピュータ２４は、通信システム１０の異なる通信デバイスのインターフェースとの有線接続または無線接続をセットアップおよび維持するように設定された通信インターフェース４０を含む、ハードウェア（ＨＷ）３８を備える。ホストコンピュータ２４は、記憶能力および／または処理能力を有し得る、処理回路４２をさらに備える。処理回路４２は、プロセッサ４４とメモリ４６とを含み得る。詳細には、中央処理ユニットなどのプロセッサおよびメモリに加えて、またはそれらの代わりに、処理回路４２は、処理および／または制御のための集積回路、たとえば、命令を実行するように適応された、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。プロセッサ４４は、メモリ４６にアクセスする（たとえば、メモリ４６に書き込む、および／またはメモリ４６から読み取る）ように設定され得、メモリ４６は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。
【００６４】
処理回路４２は、本明細書で説明される方法および／またはプロセスのいずれをも制御するように、ならびに／あるいはそのような方法および／またはプロセスを、たとえば、ホストコンピュータ２４によって実施させるように、設定され得る。プロセッサ４４は、本明細書で説明されるホストコンピュータ２４機能を実施するための１つまたは複数のプロセッサ４４に対応する。ホストコンピュータ２４は、データ、プログラマチックソフトウェアコードおよび／または本明細書で説明される他の情報を記憶するように設定されたメモリ４６を含む。いくつかの実施形態では、ソフトウェア４８および／またはホストアプリケーション５０は、プロセッサ４４および／または処理回路４２によって実行されたとき、プロセッサ４４および／または処理回路４２に、ホストコンピュータ２４に関して本明細書で説明されるプロセスを実施させる命令を含み得る。命令は、ホストコンピュータ２４に関連するソフトウェアであり得る。
【００６５】
ソフトウェア４８は、処理回路４２によって実行可能であり得る。ソフトウェア４８はホストアプリケーション５０を含む。ホストアプリケーション５０は、無線デバイス２２およびホストコンピュータ２４において終端するＯＴＴ接続５２を介して接続する無線デバイス２２など、リモートユーザにサービスを提供するように動作可能であり得る。リモートユーザにサービスを提供する際に、ホストアプリケーション５０は、ＯＴＴ接続５２を使用して送信されるユーザデータを提供し得る。「ユーザデータ」は、説明される機能を実装するものとして本明細書で説明される、データおよび情報であり得る。一実施形態では、ホストコンピュータ２４は、サービスプロバイダに制御および機能を提供するために設定され得、サービスプロバイダによってまたはサービスプロバイダの代わりに動作され得る。ホストコンピュータ２４の処理回路４２は、ホストコンピュータ２４が、ネットワークノード１６および／または無線デバイス２２を観測、監視、制御すること、ネットワークノード１６および／または無線デバイス２２に送信すること、ならびに／あるいはネットワークノード１６および／または無線デバイス２２から受信することを可能にし得る。ホストコンピュータ２４の処理回路４２は、サービスプロバイダが、ネットワークノード１６および／または無線デバイス２２を観測、監視、制御すること、ネットワークノード１６および／または無線デバイス２２に送信すること、ならびに／あるいはネットワークノード１６および／または無線デバイス２２から受信することを可能にするように設定された通信ユニット５４を含み得る。
【００６６】
通信システム１０は、通信システム１０中に提供されるネットワークノード１６をさらに含み、ネットワークノード１６は、ネットワークノード１６がホストコンピュータ２４および無線デバイス２２と通信することを可能にするハードウェア５８を備える。ハードウェア５８は、通信システム１０の異なる通信デバイスのインターフェースとの有線接続または無線接続をセットアップおよび維持するための通信インターフェース６０、ならびにネットワークノード１６によってサーブされるカバレッジエリア１８中に位置する無線デバイス２２との少なくとも無線接続６４をセットアップおよび維持するための無線インターフェース６２を含み得る。無線インターフェース６２は、たとえば、１つまたは複数のＲＦ送信機、１つまたは複数のＲＦ受信機、および／または１つまたは複数のＲＦトランシーバとして形成され得るか、あるいはそれらを含み得る。通信インターフェース６０は、ホストコンピュータ２４への接続６６を容易にするように設定され得る。接続６６は直接であり得るか、あるいは、接続６６は、通信システム１０のコアネットワーク１４を、および／または通信システム１０の外部の１つまたは複数の中間ネットワーク３０を通過し得る。
【００６７】
示されている実施形態では、ネットワークノード１６のハードウェア５８は、処理回路６８をさらに含む。処理回路６８は、プロセッサ７０とメモリ７２とを含み得る。詳細には、中央処理ユニットなどのプロセッサおよびメモリに加えて、またはそれらの代わりに、処理回路６８は、処理および／または制御のための集積回路、たとえば、命令を実行するように適応された、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。プロセッサ７０は、メモリ７２にアクセスする（たとえば、メモリ７２に書き込む、および／またはメモリ７２から読み取る）ように設定され得、メモリ７２は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。
【００６８】
したがって、ネットワークノード１６は、たとえば、メモリ７２に内部的に記憶されたか、または外部接続を介してネットワークノード１６によってアクセス可能な外部メモリ（たとえば、データベース、ストレージアレイ、ネットワークストレージデバイスなど）に記憶されたソフトウェア７４をさらに有する。ソフトウェア７４は、処理回路６８によって実行可能であり得る。処理回路６８は、本明細書で説明される方法および／またはプロセスのいずれをも制御するように、ならびに／あるいはそのような方法および／またはプロセスを、たとえば、ネットワークノード１６によって実施させるように、設定され得る。プロセッサ７０は、本明細書で説明されるネットワークノード１６機能を実施するための１つまたは複数のプロセッサ７０に対応する。メモリ７２は、データ、プログラマチックソフトウェアコードおよび／または本明細書で説明される他の情報を記憶するように設定される。いくつかの実施形態では、ソフトウェア７４は、プロセッサ７０および／または処理回路６８によって実行されたとき、プロセッサ７０および／または処理回路６８に、ネットワークノード１６に関して本明細書で説明されるプロセスを実施させる命令を含み得る。たとえば、ネットワークノード１６の処理回路６８は、第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための無線デバイス２２のスケジューリングを決定するように設定された設定ユニット３２を含み得る。
【００６９】
いくつかの実施形態では、処理回路６８は、たとえば、システム情報ブロックタイプ１（ＳＩＢ１）メッセージ中で、第１のＵＬ−ＤＬ設定を通信するようにさらに設定される。いくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。いくつかの実施形態では、少なくとも１つの通信リソースは、第１のＵＬ−ＤＬ設定および参照ＵＬ−ＤＬ設定によって指示されたスロットまたはサブフレームを含む。いくつかの実施形態では、処理回路６８は、無線デバイス２２に、第１のアップリンク−ダウンリンク（ＵＬ−ＤＬ）設定の指示を通信することと、参照ＵＬ−ＤＬ設定を選択することであって、参照ＵＬ−ＤＬ設定は、無線デバイス２２が、第１のＵＬ−ＤＬ設定と参照ＵＬ−ＤＬ設定との比較に基づいて、少なくとも１つのスケジュールされた通信リソースのために、ＬＴＥ無線アクセスネットワークおよびＮＲ無線アクセスネットワークのうちのどちらの無線アクセスネットワークを使用すべきかを決定することを可能にする、参照ＵＬ−ＤＬ設定を選択することと、無線デバイス２２に、参照ＵＬ−ＤＬ設定の指示を通信することとを行うようにさらに設定される。いくつかの実施形態では、処理回路６８は、第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかに少なくとも部分的に基づいて、参照ＵＬ−ＤＬ設定を選択するように設定されることによって、参照ＵＬ−ＤＬ設定を選択するようにさらに設定される。
【００７０】
いくつかの実施形態では、処理回路６８は、少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、第１のＵＬ−ＤＬ設定によって指示された対応する少なくとも１つの通信リソースの通信方向に一致する、少なくとも１つの通信リソースの通信方向を指示する、参照ＵＬ−ＤＬ設定を選択することと、少なくとも１つの通信リソースが、新無線（ＮＲ）アクセスネットワークのためのＵＬリソースであるべきである場合、第１のＵＬ−ＤＬ設定によって指示された対応する少なくとも１つの通信リソースの通信方向に一致しない、少なくとも１つの通信リソースの通信方向を指示する、参照ＵＬ−ＤＬ設定を選択することとを行うように設定されることによって、参照ＵＬ−ＤＬ設定を選択するようにさらに設定される。いくつかの実施形態では、参照ＵＬ−ＤＬ設定は、無線デバイス２２のためのハイブリッド自動再送要求（ＨＡＲＱ）タイミングをさらに設定する。いくつかの実施形態では、参照ＵＬ−ＤＬ設定は、複数の時分割複信（ＴＤＤ）設定パターンのうちの１つを指示する。
【００７１】
別の実施形態では、ネットワークノード１６は、無線デバイス２２に、第１のアップリンク−ダウンリンク（ＵＬ−ＤＬ）設定および第２のＵＬ−ＤＬ設定を通信するように設定された設定ユニット３２を含み得、第２のＵＬ−ＤＬ設定は、無線デバイスに関連する少なくとも１つの通信リソースを、ＵＬリソースおよびＤＬリソースのうちの１つとして設定するための参照ＵＬ−ＤＬ設定である。いくつかの実施形態では、少なくとも１つの通信リソースは、少なくとも１つの時間リソースであり、無線デバイス２２への通信は、少なくとも１つの時間リソースを、時分割複信（ＴＤＤ）フレームにおけるＵＬ時間リソースおよびＤＬ時間リソースのうちの１つとして設定するためのものである。いくつかの実施形態では、少なくとも１つの通信リソースは、少なくとも１つの時間リソースであり、無線デバイス２２への通信は、無線デバイスがデュアルコネクティビティ（ＤＣ）モードにあるとき、重複しない通信をスケジュールするために、少なくとも１つの時間リソースを、時分割複信（ＴＤＤ）フレームにおけるＵＬ時間リソースおよびＤＬ時間リソースのうちの１つとして設定するためのものである。いくつかの実施形態では、処理回路６８は、第１のＵＬ−ＤＬ設定における少なくとも１つの時間リソースの通信方向と、第２のＵＬ−ＤＬ設定における少なくとも１つの時間リソースの通信方向とが一致するかどうかに少なくとも基づいて、複数のＵＬ−ＤＬ設定のテーブルから参照ＵＬ−ＤＬ設定を選択するようにさらに設定される。いくつかの実施形態では、少なくとも１つの通信リソースは、少なくとも１つの周波数リソースであり、無線デバイス２２への通信は、無線デバイス２２がキャリアアグリゲーション（ＣＡ）モードにあるとき、重複しない通信をスケジュールするために、少なくとも１つの周波数リソースを設定するためのものである。
【００７２】
通信システム１０は、すでに言及された無線デバイス２２をさらに含む。無線デバイス２２は、無線デバイス２２が現在位置するカバレッジエリア１８をサーブするネットワークノード１６との無線接続６４をセットアップおよび維持するように設定された無線インターフェース８２を含み得る、ハードウェア８０を有し得る。無線インターフェース８２は、たとえば、１つまたは複数のＲＦ送信機、１つまたは複数のＲＦ受信機、および／または１つまたは複数のＲＦトランシーバとして形成され得るか、あるいはそれらを含み得る。
【００７３】
無線デバイス２２のハードウェア８０は、処理回路８４をさらに含む。処理回路８４は、プロセッサ８６とメモリ８８とを含み得る。詳細には、中央処理ユニットなどのプロセッサおよびメモリに加えて、またはそれらの代わりに、処理回路８４は、処理および／または制御のための集積回路、たとえば、命令を実行するように適応された、１つまたは複数のプロセッサおよび／またはプロセッサコアおよび／またはＦＰＧＡ（フィールドプログラマブルゲートアレイ）および／またはＡＳＩＣ（特定用途向け集積回路）を備え得る。プロセッサ８６は、メモリ８８にアクセスする（たとえば、メモリ８８に書き込む、および／またはメモリ８８から読み取る）ように設定され得、メモリ８８は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。
【００７４】
したがって、無線デバイス２２はソフトウェア９０をさらに備え得、ソフトウェア９０は、たとえば、無線デバイス２２におけるメモリ８８に記憶されるか、または無線デバイス２２によってアクセス可能な外部メモリ（たとえば、データベース、ストレージアレイ、ネットワークストレージデバイスなど）に記憶される。ソフトウェア９０は、処理回路８４によって実行可能であり得る。ソフトウェア９０は、クライアントアプリケーション９２を含み得る。クライアントアプリケーション９２は、ホストコンピュータ２４のサポートを伴って、無線デバイス２２を介して人間のまたは人間でないユーザにサービスを提供するように動作可能であり得る。ホストコンピュータ２４では、実行しているホストアプリケーション５０は、無線デバイス２２およびホストコンピュータ２４において終端するＯＴＴ接続５２を介して、実行しているクライアントアプリケーション９２と通信し得る。ユーザにサービスを提供する際に、クライアントアプリケーション９２は、ホストアプリケーション５０から要求データを受信し、要求データに応答してユーザデータを提供し得る。ＯＴＴ接続５２は、要求データとユーザデータの両方を転送し得る。クライアントアプリケーション９２は、クライアントアプリケーション９２が提供するユーザデータを生成するためにユーザと対話し得る。
【００７５】
処理回路８４は、本明細書で説明される方法および／またはプロセスのいずれをも制御するように、ならびに／あるいはそのような方法および／またはプロセスを、たとえば、無線デバイス２２によって実施させるように、設定され得る。プロセッサ８６は、本明細書で説明される無線デバイス２２機能を実施するための１つまたは複数のプロセッサ８６に対応する。無線デバイス２２は、データ、プログラマチックソフトウェアコードおよび／または本明細書で説明される他の情報を記憶するように設定されたメモリ８８を含む。いくつかの実施形態では、ソフトウェア９０および／またはクライアントアプリケーション９２は、プロセッサ８６および／または処理回路８４によって実行されたとき、プロセッサ８６および／または処理回路８４に、無線デバイス２２に関して本明細書で説明されるプロセスを実施させる命令を含み得る。たとえば、無線デバイス２２の処理回路８４は、第１のアップリンク−ダウンリンク（ＵＬ−ＤＬ）設定の指示を受信することと、第１のＵＬ−ＤＬ設定を参照ＵＬ−ＤＬ設定と比較すること、および、第１のＵＬ−ＤＬ設定中で指示された少なくとも１つの通信リソースの通信方向が、参照ＵＬ−ＤＬ設定によって指示された少なくとも１つの対応する通信リソースの通信方向に一致するかどうかを決定することと、参照ＵＬ−ＤＬ設定と第１のＵＬ−ＤＬ設定との比較に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースが使用されるべきであると決定することとを行うように設定された決定ユニット３４を含み得る。
【００７６】
いくつかの実施形態では、処理回路８４は、たとえば、システム情報ブロックタイプ１（ＳＩＢ１）メッセージ中で、第１のＵＬ−ＤＬ設定を受信するようにさらに設定される。いくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。いくつかの実施形態では、少なくとも１つの通信リソースは、第１のＵＬ−ＤＬ設定および参照ＵＬ−ＤＬ設定によって指示されたスロットまたはサブフレームを含む。いくつかの実施形態では、処理回路８４は、参照ＵＬ−ＤＬ設定の指示を受信するようにさらに設定される。いくつかの実施形態では、処理回路８４は、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向であるかどうかを決定することを行うように設定されることによって、参照ＵＬ−ＤＬ設定を第１のＵＬ−ＤＬ設定と比較するようにさらに設定される。
【００７７】
いくつかの実施形態では、処理回路８４は、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向である場合、少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、第１のＵＬ−ＤＬ設定によって指示された少なくとも１つの通信リソースの通信方向も、参照ＵＬ−ＤＬ設定によって指示された少なくとも１つの対応する通信リソースの通信方向もＵＬ方向でない場合、少なくとも１つの通信リソースがＤＬリソースであると決定することと、第１のＵＬ−ＤＬ設定によって指示された少なくとも１つの通信リソースの通信方向がＵＬ方向であり、参照ＵＬ−ＤＬ設定によって指示された少なくとも１つの対応する通信リソースの通信方向がＵＬ方向でない場合、少なくとも１つの通信リソースが、新無線（ＮＲ）アクセスネットワークのためのＵＬリソースであると決定することとを行うように設定されることによって、少なくとも１つの通信リソースの設定を決定するようにさらに設定される。
【００７８】
いくつかの実施形態では、処理回路８４は、参照ＵＬ−ＤＬ設定と第１のＵＬ−ＤＬ設定との比較に基づいて、ハイブリッド自動再送要求（ＨＡＲＱ）タイミングを決定することを行うように設定されることによって、少なくとも１つの通信リソースの設定を決定するようにさらに設定される。いくつかの実施形態では、参照ＵＬ−ＤＬ設定は、複数の時分割複信（ＴＤＤ）設定パターンのうちの１つを指示する。
【００７９】
別の実施形態では、無線デバイス２２は、ネットワークノード１６から、第１のアップリンク−ダウンリンク（ＵＬ−ＤＬ）設定および第２のＵＬ−ＤＬ設定を受信することであって、第２のＵＬ−ＤＬ設定が参照ＵＬ−ＤＬ設定である、第１のＵＬ−ＤＬ設定および第２のＵＬ−ＤＬ設定を受信することと、少なくとも第１のＵＬ−ＤＬ設定と参照ＵＬ−ＤＬ設定との比較に基づいて、無線デバイス２２のための少なくとも１つの通信リソースが、ＵＬリソースおよびＤＬリソースのうちの１つであると決定することとを行うように設定された決定ユニット３４を含み得る。
【００８０】
いくつかの実施形態では、少なくとも１つの通信リソースは、少なくとも１つの時間リソースであり、処理回路８４は、少なくとも１つの時間リソースが、時分割複信（ＴＤＤ）フレームにおけるＵＬ時間リソースおよびＤＬ時間リソースのうちの１つであると決定するように設定される。いくつかの実施形態では、少なくとも１つの通信リソースは、少なくとも１つの時間リソースであり、処理回路８４は、無線デバイス２２がデュアルコネクティビティ（ＤＣ）モードにあるとき、重複しない通信をスケジュールするために、少なくとも１つの時間リソースが、時分割複信（ＴＤＤ）フレームにおけるＵＬ時間リソースおよびＤＬ時間リソースのうちの１つであると決定するように設定される。いくつかの実施形態では、処理回路８４は、第１のＵＬ−ＤＬ設定における少なくとも１つの時間リソースの通信方向と、第２のＵＬ−ＤＬ設定における少なくとも１つの時間リソースの通信方向とが一致するかどうかを決定するために、参照ＵＬ−ＤＬ設定を第１のＵＬ−ＤＬ設定と比較するようにさらに設定される。いくつかの実施形態では、少なくとも１つの通信リソースは、少なくとも１つの周波数リソースであり、処理回路８４は、無線デバイス２２がキャリアアグリゲーション（ＣＡ）モードにあるとき、重複しない通信をスケジュールするために、少なくとも１つの周波数リソースに対応する周波数を決定するように設定される。
【００８１】
いくつかの実施形態では、ネットワークノード１６、無線デバイス２２、およびホストコンピュータ２４の内部の働きは、図４に示されているようなものであり得、別個に、周囲のネットワークトポロジーは、図３のものであり得る。
【００８２】
図４では、ＯＴＴ接続５２は、仲介デバイスとこれらのデバイスを介したメッセージの正確なルーティングとへの明示的言及なしに、ネットワークノード１６を介したホストコンピュータ２４と無線デバイス２２との間の通信を示すために抽象的に描かれている。ネットワークインフラストラクチャが、ルーティングを決定し得、ネットワークインフラストラクチャは、無線デバイス２２からまたはホストコンピュータ２４を動作させるサービスプロバイダから、またはその両方からルーティングを隠すように設定され得る。ＯＴＴ接続５２がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【００８３】
無線デバイス２２とネットワークノード１６との間の無線接続６４は、本開示全体にわたって説明される実施形態の教示に従う。様々な実施形態のうちの１つまたは複数は、無線接続６４が最後のセグメントを形成し得るＯＴＴ接続５２を使用して、無線デバイス２２に提供されるＯＴＴサービスの性能を改善する。より正確には、これらの実施形態のうちのいくつかの教示は、データレート、レイテンシ、および／または電力消費を改善し、それにより、低減されたユーザ待ち時間、ファイルサイズに対する緩和された制限、より良い応答性、延長されたバッテリー寿命などの利益を提供し得る。
【００８４】
いくつかの実施形態では、１つまたは複数の実施形態が改善する、データレート、レイテンシおよび他のファクタを監視する目的での、測定プロシージャが提供され得る。測定結果の変動に応答して、ホストコンピュータ２４と無線デバイス２２との間のＯＴＴ接続５２を再設定するための随意のネットワーク機能がさらにあり得る。測定プロシージャおよび／またはＯＴＴ接続５２を再設定するためのネットワーク機能は、ホストコンピュータ２４のソフトウェア４８においてまたは無線デバイス２２のソフトウェア９０において、またはその両方において実装され得る。実施形態では、ＯＴＴ接続５２が通過する通信デバイスにおいて、またはその通信デバイスに関連して、センサー（図示せず）が展開され得、センサーは、上記で例示された監視された量の値を供給すること、またはソフトウェア４８、９０が監視された量を算出または推定し得る他の物理量の値を供給することによって、測定プロシージャに参加し得る。ＯＴＴ接続５２の再設定は、メッセージフォーマット、再送信セッティング、好ましいルーティングなどを含み得、再設定は、ネットワークノード１６に影響を及ぼす必要がなく、再設定は、ネットワークノード１６に知られていないかまたは知覚不可能であり得る。いくつかのそのようなプロシージャおよび機能は、当技術分野において知られ、実施され得る。いくつかの実施形態では、測定は、スループット、伝搬時間、レイテンシなどのホストコンピュータ２４の測定を容易にするプロプライエタリ無線デバイスシグナリングを伴い得る。いくつかの実施形態では、測定は、ソフトウェア４８、９０が、伝搬時間、エラーなどを監視しながら、ソフトウェア４８、９０が、ＯＴＴ接続５２を使用して、メッセージ、特に、空のまたは「ダミー」メッセージを送信させるという点で実装され得る。
【００８５】
したがって、いくつかの実施形態では、ホストコンピュータ２４は、ユーザデータを提供するように設定された処理回路４２と、無線デバイス２２への送信のためにユーザデータをセルラーネットワークにフォワーディングするように設定された通信インターフェース４０とを含む。いくつかの実施形態では、セルラーネットワークはまた、無線インターフェース６２をもつネットワークノード１６を含む。いくつかの実施形態では、ネットワークノード１６は、無線デバイス２２への送信を準備／始動／維持／サポート／終了すること、および／または無線デバイス２２からの送信の受信において準備／終端／維持／サポート／終了することを行うための本明細書で説明される機能および／または方法を実施するように設定され、ならびに／あるいはネットワークノード１６の処理回路６８はそれらを実施するように設定される。
【００８６】
いくつかの実施形態では、ホストコンピュータ２４は、処理回路４２と、無線デバイス２２からネットワークノード１６への送信から発生したユーザデータを受信するように設定された通信インターフェース４０のために設定された通信インターフェース４０とを含む。いくつかの実施形態では、無線デバイス２２は、ネットワークノード１６への送信を準備／始動／維持／サポート／終了すること、および／またはネットワークノード１６からの送信の受信において準備／終端／維持／サポート／終了することを行うための本明細書で説明される機能および／または方法を実施するように設定され、ならびに／あるいは、それらを実施するように設定された無線インターフェース８２および／または処理回路８４を備える。
【００８７】
図３および図４は、それぞれのプロセッサ内にあるものとして、設定ユニット３２および決定ユニット３４などの様々な「ユニット」を示すが、これらのユニットは、ユニットの一部分が処理回路内の対応するメモリに記憶されるように、実装され得ることが考えられる。言い換えれば、ユニットは、ハードウェアで、またはハードウェアと処理回路内のソフトウェアとの組合せで実装され得る。
【００８８】
図５は、一実施形態による、たとえば、図３および図４の通信システムなど、通信システムにおいて実装される例示的な方法を示すフローチャートである。通信システムは、図４を参照しながら説明されたものであり得る、ホストコンピュータ２４、ネットワークノード１６および無線デバイス２２を含み得る。方法の第１のステップにおいて、ホストコンピュータ２４はユーザデータを提供する（ブロックＳ１００）。第１のステップの随意のサブステップにおいて、ホストコンピュータ２４は、たとえば、ホストアプリケーション７４など、ホストアプリケーションを実行することによって、ユーザデータを提供する（ブロックＳ１０２）。第２のステップにおいて、ホストコンピュータ２４は、無線デバイス２２にユーザデータを搬送する送信を始動する（ブロックＳ１０４）。随意の第３のステップにおいて、ネットワークノード１６は、本開示全体にわたって説明される実施形態の教示に従って、ホストコンピュータ２４が始動した送信において搬送されたユーザデータを無線デバイス２２に送信する（ブロックＳ１０６）。随意の第４のステップにおいて、無線デバイス２２は、ホストコンピュータ２４によって実行されるホストアプリケーション７４に関連する、たとえば、クライアントアプリケーション９２など、クライアントアプリケーションを実行する（ブロックＳ１０８）。
【００８９】
図６は、一実施形態による、たとえば、図３の通信システムなど、通信システムにおいて実装される例示的な方法を示すフローチャートである。通信システムは、図３および図４を参照しながら説明されたものであり得る、ホストコンピュータ２４、ネットワークノード１６および無線デバイス２２を含み得る。方法の第１のステップにおいて、ホストコンピュータ２４はユーザデータを提供する（ブロックＳ１１０）。随意のサブステップ（図示せず）において、ホストコンピュータ２４は、たとえば、ホストアプリケーション７４など、ホストアプリケーションを実行することによって、ユーザデータを提供する。第２のステップにおいて、ホストコンピュータ２４は、無線デバイス２２にユーザデータを搬送する送信を始動する（ブロックＳ１１２）。送信は、本開示全体にわたって説明される実施形態の教示に従って、ネットワークノード１６を介して進み得る。随意の第３のステップにおいて、無線デバイス２２は、送信において搬送されたユーザデータを受信する（ブロックＳ１１４）。
【００９０】
図７は、一実施形態による、たとえば、図３の通信システムなど、通信システムにおいて実装される例示的な方法を示すフローチャートである。通信システムは、図３および図４を参照しながら説明されたものであり得る、ホストコンピュータ２４、ネットワークノード１６および無線デバイス２２を含み得る。方法の随意の第１のステップにおいて、無線デバイス２２は、ホストコンピュータ２４によって提供された入力データを受信する（ブロックＳ１１６）。第１のステップの随意のサブステップにおいて、無線デバイス２２は、ホストコンピュータ２４によって提供された受信された入力データに反応してユーザデータを提供する、クライアントアプリケーション９２を実行する（ブロックＳ１１８）。追加または代替として、随意の第２のステップにおいて、無線デバイス２２はユーザデータを提供する（ブロックＳ１２０）。第２のステップの随意のサブステップにおいて、無線デバイスは、たとえば、クライアントアプリケーション９２など、クライアントアプリケーションを実行することによって、ユーザデータを提供する（ブロックＳ１２２）。ユーザデータを提供する際に、実行されたクライアントアプリケーション９２は、ユーザから受信されたユーザ入力をさらに考慮し得る。ユーザデータが提供された特定の様式にかかわらず、無線デバイス２２は、随意の第３のサブステップにおいて、ホストコンピュータ２４へのユーザデータの送信を始動し得る（ブロックＳ１２４）。方法の第４のステップにおいて、ホストコンピュータ２４は、本開示全体にわたって説明される実施形態の教示に従って、無線デバイス２２から送信されたユーザデータを受信する（ブロックＳ１２６）。
【００９１】
図８は、一実施形態による、たとえば、図３の通信システムなど、通信システムにおいて実装される例示的な方法を示すフローチャートである。通信システムは、図３および図４を参照しながら説明されたものであり得る、ホストコンピュータ２４、ネットワークノード１６および無線デバイス２２を含み得る。方法の随意の第１のステップにおいて、本開示全体にわたって説明される実施形態の教示に従って、ネットワークノード１６は、無線デバイス２２からユーザデータを受信する（ブロックＳ１２８）。随意の第２のステップにおいて、ネットワークノード１６は、ホストコンピュータ２４への、受信されたユーザデータの送信を始動する（ブロックＳ１３０）。第３のステップにおいて、ホストコンピュータ２４は、ネットワークノード１６によって始動された送信において搬送されたユーザデータを受信する（ブロックＳ１３２）。
【００９２】
図９は、無線デバイス２２がデュアルコネクティビティモードにあるときのためのネットワークノード１６における例示的なプロセスのフローチャートである。ネットワークノード１６によって実施される１つまたは複数のブロックおよび／または機能および／または方法は、例示的な方法に従って、処理回路６８中の設定ユニット３２、プロセッサ７０、無線インターフェース６２などによってなど、ネットワークノード１６の１つまたは複数のエレメントによって実施され得る。例示的な方法は、設定ユニット３２、処理回路６８および／または無線インターフェース６２を介してなど、第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のための少なくとも１つの通信リソースを使用するための無線デバイス２２のスケジューリングを決定すること（ブロックＳ１３４）を含む。
【００９３】
いくつかの実施形態では、方法は、設定ユニット３２、処理回路６８および／または無線インターフェース６２を介してなど、たとえば、システム情報ブロックタイプ１（ＳＩＢ１）メッセージ中で、第１のＵＬ−ＤＬ設定の指示を通信すること（ブロックＳ１３３ａ）をさらに含む。いくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。いくつかの実施形態では、少なくとも１つの通信リソースは、第１のＵＬ−ＤＬ設定および参照ＵＬ−ＤＬ設定によって指示されたスロットまたはサブフレームを含む。いくつかの実施形態では、方法は、無線デバイス２２に、第１のアップリンク−ダウンリンク（ＵＬ−ＤＬ）設定の指示を通信すること（ブロックＳ１３３ａ）と、設定ユニット３２、処理回路６８および／または無線インターフェース６２を介してなど、参照ＵＬ−ＤＬ設定を選択すること（ブロックＳ１３３ｂ）であって、参照ＵＬ−ＤＬ設定は、無線デバイスが、第１のＵＬ−ＤＬ設定と参照ＵＬ−ＤＬ設定との比較に基づいて、少なくとも１つのスケジュールされた通信リソースのために、ＬＴＥ無線アクセスネットワークおよびＮＲ無線アクセスネットワークのうちのどちらの無線アクセスネットワークを使用すべきかを決定することを可能にする、参照ＵＬ−ＤＬ設定を選択すること（ブロックＳ１３３ｂ）と、設定ユニット３２、処理回路６８および／または無線インターフェース６２を介してなど、無線デバイス２２に、参照ＵＬ−ＤＬ設定の指示を通信すること（ブロックＳ１３５）とをさらに含む。
【００９４】
いくつかの実施形態では、参照ＵＬ−ＤＬ設定を選択すること（ブロックＳ１３３ｂ）は、設定ユニット３２、処理回路６８および／または無線インターフェース６２を介してなど、第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかに少なくとも部分的に基づいて、参照ＵＬ−ＤＬ設定を選択することをさらに含む。いくつかの実施形態では、参照ＵＬ−ＤＬを選択すること（ブロックＳ１３３ｂ）は、少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、第１のＵＬ−ＤＬ設定によって指示された対応する少なくとも１つの通信リソースの通信方向に一致する、少なくとも１つの通信リソースの通信方向を指示する、参照ＵＬ−ＤＬ設定を選択することと、少なくとも１つの通信リソースが、新無線（ＮＲ）アクセスネットワークのためのＵＬリソースであるべきである場合、第１のＵＬ−ＤＬ設定によって指示された対応する少なくとも１つの通信リソースの通信方向に一致しない、少なくとも１つの通信リソースの通信方向を指示する、参照ＵＬ−ＤＬ設定を選択することとをさらに含む。いくつかの実施形態では、参照ＵＬ−ＤＬ設定は、無線デバイス２２のためのハイブリッド自動再送要求（ＨＡＲＱ）タイミングをさらに設定する。いくつかの実施形態では、参照ＵＬ−ＤＬ設定は、複数の時分割複信（ＴＤＤ）設定パターンのうちの１つを指示する。
【００９５】
別の実施形態では、プロセスは、無線デバイス２２に、第１のアップリンク−ダウンリンク（ＵＬ−ＤＬ）設定および第２のＵＬ−ＤＬ設定を通信することを含み、第２のＵＬ−ＤＬ設定は、無線デバイス２２に関連する少なくとも１つの通信リソースを、ＵＬリソースおよびＤＬリソースのうちの１つとして設定するための参照ＵＬ−ＤＬ設定である。いくつかの実施形態では、少なくとも１つの通信リソースは、少なくとも１つの時間リソースであり、無線デバイス２２への通信は、少なくとも１つの時間リソースを、時分割複信（ＴＤＤ）フレームにおけるＵＬ時間リソースおよびＤＬ時間リソースのうちの１つとして設定するためのものである。いくつかの実施形態では、少なくとも１つの通信リソースは、少なくとも１つの時間リソースであり、無線デバイス２２への通信は、無線デバイス２２がデュアルコネクティビティ（ＤＣ）モードにあるとき、重複しない通信をスケジュールするために、少なくとも１つの時間リソースを、時分割複信（ＴＤＤ）フレームにおけるＵＬ時間リソースおよびＤＬ時間リソースのうちの１つとして設定するためのものである。いくつかの実施形態では、方法は、第１のＵＬ−ＤＬ設定における少なくとも１つの時間リソースの通信方向と、第２のＵＬ−ＤＬ設定における少なくとも１つの時間リソースの通信方向とが一致するかどうかに少なくとも基づいて、複数のＵＬ−ＤＬ設定のテーブルから参照ＵＬ−ＤＬ設定を選択することをさらに含む。いくつかの実施形態では、少なくとも１つの通信リソースは、少なくとも１つの周波数リソースであり、無線デバイス２２への通信は、無線デバイス２２がキャリアアグリゲーション（ＣＡ）モードにあるとき、重複しない通信をスケジュールするために、少なくとも１つの周波数リソースを設定するためのものである。
【００９６】
図１０は、本開示のいくつかの実施形態による、無線デバイス２２における例示的なプロセスのフローチャートである。無線デバイス２２によって実施される１つまたは複数のブロックおよび／または機能および／または方法は、処理回路８４中の決定ユニット３４、プロセッサ８６、無線インターフェース８２などによってなど、無線デバイス２２の１つまたは複数のエレメントによって実施され得る。例示的な方法は、決定ユニット３４、処理回路８４および／または無線インターフェース８２を介してなど、第１のアップリンク−ダウンリンク（ＵＬ−ＤＬ）設定の指示を受信すること（ブロックＳ１３６）を含む。方法は、第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかを決定するために、第１のＵＬ−ＤＬ設定を参照ＵＬ−ＤＬ設定と比較すること（ブロックＳ１３８）をさらに含む。方法は、参照ＵＬ−ＤＬ設定と第１のＵＬ−ＤＬ設定との比較に基づいて、決定ユニット３４、処理回路８４および／または無線インターフェース８２を介してなど、Ｌｏｎｇ  Ｔｅｒｍ  Ｅｖｏｌｕｔｉｏｎ（ＬＴＥ）無線アクセスネットワークおよび新無線（ＮＲ）アクセスネットワークのうちの一方のために少なくとも１つの通信リソースが使用されるべきであると決定すること（ブロックＳ１４０）をさらに含む。
【００９７】
いくつかの実施形態では、第１のＵＬ−ＤＬ設定を受信することは、決定ユニット３４、処理回路８４および／または無線インターフェース８２を介してなど、たとえば、システム情報ブロックタイプ１（ＳＩＢ１）メッセージ中で、第１のＵＬ−ＤＬ設定を受信することをさらに含む。いくつかの実施形態では、参照ＵＬ−ＤＬ設定は、Ｌｏｎｇ  Ｔｅｒｍ  Ｅｖｏｌｕｔｉｏｎ（ＬＴＥ）参照設定を含む。いくつかの実施形態では、少なくとも１つの通信リソースは、第１のＵＬ−ＤＬ設定および参照ＵＬ−ＤＬ設定によって指示されたスロットまたはサブフレームを含む。いくつかの実施形態では、方法は、決定ユニット３４、処理回路８４および／または無線インターフェース８２を介してなど、参照ＵＬ−ＤＬ設定の指示を受信することをさらに含む。いくつかの実施形態では、参照ＵＬ−ＤＬ設定を第１のＵＬ−ＤＬ設定と比較することは、決定ユニット３４、処理回路８４および／または無線インターフェース８２を介してなど、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向であるかどうかを決定することをさらに含む。
【００９８】
いくつかの実施形態では、少なくとも１つの通信リソースの設定を決定することは、第１のＵＬ−ＤＬ設定によって指示された少なくとも１つの通信リソースの通信方向と、参照ＵＬ−ＤＬ設定によって指示された少なくとも１つの対応する通信リソースの通信方向とが、両方ともアップリンク（ＵＬ）方向である場合、決定ユニット３４、処理回路８４および／または無線インターフェース８２を介してなど、少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、第１のＵＬ−ＤＬ設定によって指示された少なくとも１つの通信リソースの通信方向も、参照ＵＬ−ＤＬ設定によって指示された少なくとも１つの対応する通信リソースの通信方向もＵＬ方向でない場合、決定ユニット３４、処理回路８４および／または無線インターフェース８２を介してなど、少なくとも１つの通信リソースがダウンリンク（ＤＬ）リソースであると決定することと、第１のＵＬ−ＤＬ設定によって指示された少なくとも１つの通信リソースの通信方向がＵＬ方向であり、参照ＵＬ−ＤＬ設定によって指示された少なくとも１つの対応する通信リソースの通信方向がＵＬ方向でない場合、決定ユニット３４、処理回路８４および／または無線インターフェース８２を介してなど、少なくとも１つの通信リソースが、新無線（ＮＲ）アクセスネットワークのためのＵＬリソースであると決定することとをさらに含む。
【００９９】
いくつかの実施形態では、少なくとも１つの通信リソースの設定を決定することは、参照ＵＬ−ＤＬ設定と第１のＵＬ−ＤＬ設定との比較に基づいて、決定ユニット３４、処理回路８４および／または無線インターフェース８２を介してなど、ハイブリッド自動再送要求（ＨＡＲＱ）タイミングを決定することをさらに含む。いくつかの実施形態では、参照ＵＬ−ＤＬ設定は、複数の時分割複信（ＴＤＤ）設定パターンのうちの１つを指示する。
【０１００】
別の実施形態では、無線デバイス２２において実装される方法は、ネットワークノード１６から、第１のアップリンク−ダウンリンク（ＵＬ−ＤＬ）設定および第２のＵＬ−ＤＬ設定を受信することであって、第２のＵＬ−ＤＬ設定が参照ＵＬ−ＤＬ設定である、第１のＵＬ−ＤＬ設定および第２のＵＬ−ＤＬ設定を受信することと、少なくとも第１のＵＬ−ＤＬ設定と参照ＵＬ−ＤＬ設定との比較に基づいて、無線デバイス２２のための少なくとも１つの通信リソースが、ＵＬリソースおよびＤＬリソースのうちの１つであると決定することとを含む。いくつかの実施形態では、少なくとも１つの通信リソースは、少なくとも１つの時間リソースであり、決定することは、少なくとも１つの時間リソースが、時分割複信（ＴＤＤ）フレームにおけるＵＬ時間リソースおよびＤＬ時間リソースのうちの１つであると決定することを含む。いくつかの実施形態では、少なくとも１つの通信リソースは、少なくとも１つの時間リソースであり、決定することは、無線デバイス２２がデュアルコネクティビティ（ＤＣ）モードにあるとき、重複しない通信をスケジュールするために、少なくとも１つの時間リソースが、時分割複信（ＴＤＤ）フレームにおけるＵＬ時間リソースおよびＤＬ時間リソースのうちの１つであると決定することを含む。いくつかの実施形態では、方法は、第１のＵＬ−ＤＬ設定における少なくとも１つの時間リソースの通信方向と、第２のＵＬ−ＤＬ設定における少なくとも１つの時間リソースの通信方向とが一致するかどうかを決定するために、参照ＵＬ−ＤＬ設定を第１のＵＬ−ＤＬ設定と比較することをさらに含む。いくつかの実施形態では、少なくとも１つの通信リソースは、少なくとも１つの周波数リソースであり、決定することは、無線デバイス２２がキャリアアグリゲーション（ＣＡ）モードにあるとき、重複しない通信をスケジュールするために、少なくとも１つの周波数リソースに対応する周波数を決定することを含む。
【０１０１】
本開示のいくつかの実施形態を概括的に説明したが、いくつかのそのような実施形態のより詳細な説明が以下で提供される。
【０１０２】
ＬＴＥ側のシングルキャリアがＴＤＤで動作しているときの第１の例示的なシナリオについて考える。そのようなシナリオでは、オプション３／３Ａまたはオプション４／４Ａのいずれかが使用され得、たとえば、ＮＲ側の１つまたは複数のキャリアを伴ってＬＴＥとＮＲとの間でデュアルコネクティビティが使用される。オプション４／４Ａは、ＮＲがＭＣＧであり、ＬＴＥがＳＣＧであるときのためのオプションであり得、オプション３／３Ａは、ＬＴＥがＭＣＧであり、ＮＲがＳＣＧであるときのためのものであり得る。
【０１０３】
ＮＲ側とＬＴＥ側の両方がＴＤＤで動作しているとき、問題が起こり得る。多くの実際的展開では、ＬＴＥとＮＲの両方について、同じＴＤＤパターン（すなわち、ＵＬ／ＤＬ送信のパターン）が存在し得る。これは、たとえば、ＮＲがＬＴＥ周波数帯域内で動作される場合であり得る。同じＵＬ／ＤＬ設定は、そのような場合、周波数帯域全体にわたって動作され得る。言い換えれば、それは、その帯域におけるすべてのオペレータが、技術に依存しない同じ設定を使用することであり得る。さらに、ＮＲ側に１５ｋＨｚサブキャリア間隔があり得る。３０ｋＨｚサブキャリア間隔の場合、ＮＲ側の各スロット（たとえば、タイムスロット）は、長さが１ｍｓではなく０．５ｍｓであり得るので、パターン（たとえば、ＵＬ／ＤＬ設定サブフレームパターン）は同様であるが、同じでないことがある。いくつかの実施形態では、パターンは、その場合、（たとえば、１ｍｓスロットが１５ｋＨｚサブキャリア間隔に対応し、０．５ｍｓスロットが３０ｋＨｚサブキャリア間隔に対応する、特定のＵＬ／ＤＬ方向において適用可能な１ｍｓスロットを２つの連続する０．５ｍｓスロットと交換することによって）このことを反映するように拡張され得る。
【０１０４】
いくつかの実施形態では、ＬＴＥにおける適用可能なＴＤＤ設定が、以下の表（表１）に示され得、ここで、ＵＬ−ＤＬ設定が、あらかじめ規定されたＴＤＤサブフレーム設定に対応するＵＬ−ＤＬ設定番号またはインジケータによって指示される。
2021520738.tif 000003
【０１０５】
いくつかの実施形態では、ＬＴＥキャリアは（上記の表１に示されている）ＵＬ／ＤＬ設定１を動作させていると仮定または決定され得る。設定は、たとえば、ネットワークノード１６によって、システム情報（たとえば、ＳＩＢ）を通してブロードキャストされ得る。同様に、ＮＲ側で、たとえば、ネットワークノード１６、たとえば、ｇＮＢによって、設定１を模倣する設定が動作され得る。いくつかの実施形態では、ＮＲ側について、サブフレーム対スロット（ｓｕｂｆｒａｍｅ−ｔｏ−ｓｌｏｔ）に基づく記法変更（ＮＲ専門用語とＬＴＥ専門用語とは異なり得る）と、適切な場合、サブキャリア間隔に対する修正とがあり得る。また、ＮＲではスペシャルサブフレームがないことがあるが、（ＬＴＥにおける「スペシャルサブフレーム」の機能と見なされる）ＤＬとＵＬとの間の切替えが発生するように設定される（１つまたは複数の）スロットがあり得ることに留意されたい。また、表１〜５では、「Ｄ」がＤＬサブフレーム／スロットを指示し、「Ｕ」がＵＬサブフレーム／スロットを指示し、「Ｓ」は、サブフレーム／スロットが、ＤＬとＵＬとの間で切り替えるための「スペシャルサブフレーム」または同様のサブフレームであることを指示することに留意されたい。
【０１０６】
さらに、ＮＲとＬＴＥの両方が１５ｋＨｚサブキャリア間隔を動作させていると仮定され得る。ＵＬおよびＤＬパターンは、以下の表（表２）に示されているようなものであり得る。
2021520738.tif 000004
【０１０７】
表２からわかるように、この例では、ＬＴＥとＮＲの両方が、表１からの設定１に対応するサブフレーム／スロット番号パターンを示す。ケース１タイミングが設定されない場合、電力制御の観点から、ネットワークは、ＬＴＥ側およびＮＲ側にわたる総最大電力が、最大出力電力しきい値を超えないように、ＮＲ側とＬＴＥ側の両方に関する静的最大電力を設定し得る。たとえば、ＮＲとＬＴＥとの間で１／２ずつ電力をスプリットすることができる。これは、ＬＴＥとＮＲの両方に関してカバレッジがより小さくなり得るという直接的結果を有し得る。別の代替は、割り当てられた電力が無線デバイス２２の最大出力電力しきい値を超える場合、無線デバイス２２がＬＴＥまたはＮＲをスケールダウンすることができるように、無線デバイス２２が動的電力共有をサポートし得ることである。このしきい値は、所定のしきい値であり得る。
【０１０８】
これに対する代替が、以下の実施形態によって提供され得る。そのような実施形態では、無線デバイス２２は、ネットワークノード１６によってなど、ＬＴＥ側のＵＬ／ＤＬ参照設定で設定され得る。この場合、いくつかの実施形態では、ＬＴＥおよび参照設定が、（ＬＴＥセルの動作に応じて）Ｐｃｅｌｌまたは１次Ｓｃｅｌｌ（ＰＳｃｅｌｌ）のために適用可能であると仮定し得る。上記の例についてのこの参照設定は、たとえば、設定２と同じＵＬ／ＤＬサブフレームパターンを有することができる。得られた設定は、表３において以下のように現れ得る。
2021520738.tif 000005
【０１０９】
表３でわかるように、表１の設定２に対応するＬＴＥ参照設定がある。そのような参照設定は、ＬＴＥ側の無線デバイス２２のためのＵＬのために使用される（１つまたは複数の）ＵＬサブフレームを導出するために使用され得る。これは、たとえば、サブフレーム／スロット番号２および７が、表３中の他のサブフレーム／スロット番号とは異なり、（表３に示されているように）ＬＴＥ、ＬＴＥ参照設定およびＮＲのためのＵＬとして設定されるので、サブフレーム２および７に対応し得る。さらに、参照設定は、ＤＬ  ＨＡＲＱタイミング（すなわち、ダウンリンクにおいてＰＤＳＣＨを受信したことに応答してアップリンクにおいてＨＡＲＱ−ＡＣＫを送信するためのタイミング）を導出するために使用され得る。無線デバイス２２は、参照設定で設定された後に、サブフレーム２および７のみがＵＬにおけるＬＴＥ送信のために使用されると仮定し得る。無線デバイス２２は、ＬＴＥ  ＳＩＢ設定されたＵＬ／ＤＬ設定（上記の表３中の「ＬＴＥ」に対応する行）と、ＬＴＥ参照設定（上記の表３中の「ＬＴＥ参照設定」に対応する行）との間で異なる方向を有するサブフレームが、ＬＴＥによって使用されないと仮定し得る。上記の例では、これは、サブフレーム３および８である。しかしながら、いくつかの実施形態では、それらのサブフレーム（すなわち、ＮＲ側のそれらのサブフレームに対応するスロット）について、無線デバイス２２は、ＮＲがそれらをＵＬにおいて使用することができると仮定することができる（上記の表３中の「ＮＲ」に対応する行）。これは、ネットワーク（たとえば、ネットワークノード１６）が、ＬＴＥとＮＲとのための重複しないＵＬ送信をスケジュールすることを可能にし得る。いくつかの実装形態では、上記の例の場合、無線デバイス２２は、ＵＬにおけるＬＴＥ送信のためにサブフレーム２および７を使用し、ＵＬにおけるＮＲのためにサブフレーム３および８を使用し得る。
【０１１０】
ＬＴＥ  ＳＩＢ設定されたＵＬ／ＤＬ設定とＬＴＥ参照設定との間で異なる方向を有するサブフレーム、すなわち、上記の例におけるサブフレーム３および８の場合、無線デバイス２２は、ＬＴＥ側のセル固有参照信号（ＣＲＳ）などのＤＬ参照信号に対する参照信号受信信号／参照信号受信品質（ＲＳＲＰ／ＲＳＲＱ）測定など、測定を実施する間、それらのサブフレームを除外することができる。いくつかの実施形態では、無線デバイス２２はまた、それらのＮＲ  ＵＬサブフレーム（たとえば、この例ではサブフレーム３および８）上のＬＴＥ  ＤＬ制御チャネル、すなわち、ＬＴＥ  ＰＤＣＣＨを監視することをスキップし得る。いくつかの実施形態では、無線デバイス２２はまた、それらのサブフレームに対応する物理ＨＡＲＱインジケータチャネル（ＰＨＩＣＨ）リソースが使用されないと仮定し得る（たとえば、無線デバイス２２は、それらのＰＨＩＣＨリソースを復号することをスキップするか、またはＡＣＫがそれら上で送信されると仮定することができる）。
【０１１１】
ＳＩＢ設定されたＵＬ／ＤＬ設定は、たとえば、システム情報ブロック１（ＳＩＢ１）中で、無線デバイス２２によって受信され得る。参照ＵＬ／ＤＬ設定は、いくつかの実施形態では、たとえば、ネットワークノード１６から、専用無線リソース制御（ＲＲＣ）シグナリングを介して無線デバイス２２によって受信され得る。
【０１１２】
別の可能な参照設定は、たとえば、上記の特定の場合についての表１の設定４または設定５である。得られた設定は、表４において以下のようであり得、これは、表１からの設定４に対応する参照設定を使用する。
2021520738.tif 000006
【０１１３】
この例では、参照設定で設定された後にＬＴＥによって使用されるＵＬサブフレームは、本例では（たとえば、サブフレーム番号２および３が、ＵＬ／ＤＬ設定（ＬＴＥ、ＬＴＥ参照設定およびＮＲ）のすべてについてＵＬサブフレームであるので）サブフレーム２および３である。ＮＲは、サブフレーム／スロット番号７および８が、それらの対応するサブフレーム／スロット番号の設定について、異なる方向（ＵＬおよびＤＬ）を有するので、ＵＬ送信のためにサブフレーム／スロット番号７および８を使用することができる。いくつかの実施形態は、サブフレーム番号に編成される設定を有し得、他の実施形態は、スロット番号に編成される設定を有し得ること、したがって、「サブフレーム／スロット番号」という専門用語を理解されたい。
【０１１４】
以下の表５は、参照設定が表１からの設定５に対応する一実施形態を示す。
2021520738.tif 000007
【０１１５】
この例では、ＬＴＥによって使用されるＵＬサブフレームは、サブフレーム２であり得る。ＮＲは、ＵＬ送信のためにスロット番号３、７および８を使用することができる。詳細には、ネットワーク（たとえば、ネットワークノード１６）は、たとえば、表１に示されている参照設定など、利用可能な参照設定のうちで直接的に（たとえば、ＲＲＣシグナリングまたは他の制御シグナリングを介して）所与の参照設定で無線デバイス２２を設定し得る。後で説明される一例では、参照設定はＵＬとＤＬとについて異なり得る。
【０１１６】
ＵＬの場合、同じ方法が使用され得、すなわち、参照設定は、ネットワークノード１６または無線ノード（たとえば、ｅＮＢ）によって、無線デバイス２２に直接設定され得る。
【０１１７】
より一般的には、いくつかの実施形態では、無線デバイス２２は、ＤＬ参照設定で設定され得、ダウンリンクにおいてＰＤＳＣＨを受信したことに応答して無線デバイス２２がアップリンクにおいてＨＡＲＱ−ＡＣＫを送信すべきタイミングが、そのＤＬ参照設定に基づいて導出される。無線デバイス２２はまた、ＵＬ参照設定で設定され得、ダウンリンクにおいてＰＤＤＣＨ  ＵＬグラントを受信したことに応答して無線デバイス２２がアップリンクにおいてＰＵＳＣＨを送信すべきタイミングが、そのＵＬ参照設定に基づいて導出される。そのような実施形態では、適用可能なＵＬサブフレームは、ＤＬ参照タイミングに基づいて導出され得る。
【０１１８】
上記の（１つまたは複数の）シナリオの場合、ＬＴＥ側のスペシャルサブフレームは、ある実施形態ではＵＬにおけるＮＲ側によって、または他の実施形態ではＬＴＥ側によってのいずれかで動作され得る。
【０１１９】
適用可能な参照設定は、知られている方法によって導出され得、たとえば、ＤＬにおける設定１の場合、ＤＬにおける適用可能な設定は、２、４および５である。ＵＬの場合、適用可能な設定は、ＵＬ設定に関して上記で説明されたように、同じ機構に従って｛６および０｝である。
【０１２０】
第２の実施形態では、同じおよび／または同様の機構およびプロセスが、キャリアアグリゲーション（ＣＡ）動作に適用され得る。
【０１２１】
ＬＴＥ側のＣＡ動作の場合、いくつかの実施形態では、以下の機構が適用され得る。ＦＤＤキャリアのみの場合、すべてのＬＴＥキャリアに同時に適用される単一のＵＬ／ＤＬ参照設定が設定され得る。参照設定は、ＬＴＥ使用のための適用可能なＵＬサブフレームおよびＤＬ  ＨＡＲＱタイミングを導出するために使用され得る。いくつかの実施形態では、これは、ＰＣｅｌｌまたはＰＳｃｅｌｌにおいて適用され得る。
【０１２２】
１つまたは複数のキャリアがＬＴＥ側のＴＤＤキャリアである実施形態では、無線デバイス２２は、ＬＴＥ送信のための適用可能なＵＬサブフレームを導出するために使用される、ＤＬにおける単一のＵＬ／ＤＬ参照設定で同様に設定され得る。それが、たとえば、ＳＩＢ１シグナリングからのＴＤＤキャリア上で使用されるＵＬ／ＤＬ設定のようなものである（すなわち、設定された参照設定でない）場合、複数のキャリアの間の適用可能な設定可能な参照設定が、知られている技法に従って決定され得る。
【０１２３】
さらに、いくつかの実施形態は、以下のうちの１つまたは複数を含み得る。
例Ａ１．  無線デバイス（無線デバイス）と通信するように設定されたネットワークノードであって、ネットワークノードは、
無線デバイスに、第１のアップリンク−ダウンリンク（ＵＬ−ＤＬ）設定および第２のＵＬ−ＤＬ設定を通信することであって、第２のＵＬ−ＤＬ設定が、無線デバイスに関連する少なくとも１つの通信リソースを、ＵＬリソースおよびＤＬリソースのうちの１つとして設定するための参照ＵＬ−ＤＬ設定である、第１のＵＬ−ＤＬ設定および第２のＵＬ−ＤＬ設定を通信すること
を行うように設定され、ならびに／あるいは、それを行うように設定された無線インターフェースを備え、および／またはそれを行うように設定された処理回路を備える、ネットワークノード。
例Ａ２．  少なくとも１つの通信リソースは、少なくとも１つの時間リソースであり、無線デバイスへの通信は、少なくとも１つの時間リソースを、時分割複信（ＴＤＤ）フレームにおけるＵＬ時間リソースおよびＤＬ時間リソースのうちの１つとして設定するためのものである、例Ａ１に記載のネットワークノード。
例Ａ３．  少なくとも１つの通信リソースは、少なくとも１つの時間リソースであり、無線デバイスへの通信は、無線デバイスがデュアルコネクティビティ（ＤＣ）モードにあるとき、重複しない通信をスケジュールするために、少なくとも１つの時間リソースを、時分割複信（ＴＤＤ）フレームにおけるＵＬ時間リソースおよびＤＬ時間リソースのうちの１つとして設定するためのものである、例Ａ１に記載のネットワークノード。
例Ａ４．  処理回路は、第１のＵＬ−ＤＬ設定における少なくとも１つの時間リソースの通信方向と、第２のＵＬ−ＤＬ設定における少なくとも１つの時間リソースの通信方向とが一致するかどうかに少なくとも基づいて、複数のＵＬ−ＤＬ設定のテーブルから参照ＵＬ−ＤＬ設定を選択するようにさらに設定される、例Ａ１〜Ａ３のいずれか１つに記載のネットワークノード。
例Ａ５．  少なくとも１つの通信リソースは、少なくとも１つの周波数リソースであり、無線デバイスへの通信は、無線デバイスがキャリアアグリゲーション（ＣＡ）モードにあるとき、重複しない通信をスケジュールするために、少なくとも１つの周波数リソースを設定するためのものである、例Ａ１に記載のネットワークノード。
例Ｂ１．  ネットワークノードにおいて実装される方法であって、方法は、無線デバイス（無線デバイス）に、第１のアップリンク−ダウンリンク（ＵＬ−ＤＬ）設定および第２のＵＬ−ＤＬ設定を通信することであって、第２のＵＬ−ＤＬ設定が、無線デバイスに関連する少なくとも１つの通信リソースを、ＵＬリソースおよびＤＬリソースのうちの１つとして設定するための参照ＵＬ−ＤＬ設定である、第１のＵＬ−ＤＬ設定および第２のＵＬ−ＤＬ設定を通信することを含む、方法。
例Ｂ２．  少なくとも１つの通信リソースは、少なくとも１つの時間リソースであり、無線デバイスへの通信は、少なくとも１つの時間リソースを、時分割複信（ＴＤＤ）フレームにおけるＵＬ時間リソースおよびＤＬ時間リソースのうちの１つとして設定するためのものである、例Ｂ１に記載の方法。
例Ｂ３．  少なくとも１つの通信リソースは、少なくとも１つの時間リソースであり、無線デバイスへの通信は、無線デバイスがデュアルコネクティビティ（ＤＣ）モードにあるとき、重複しない通信をスケジュールするために、少なくとも１つの時間リソースを、時分割複信（ＴＤＤ）フレームにおけるＵＬ時間リソースおよびＤＬ時間リソースのうちの１つとして設定するためのものである、例Ｂ１に記載の方法。
例Ｂ４．  第１のＵＬ−ＤＬ設定における少なくとも１つの時間リソースの通信方向と、第２のＵＬ−ＤＬ設定における少なくとも１つの時間リソースの通信方向とが一致するかどうかに少なくとも基づいて、複数のＵＬ−ＤＬ設定のテーブルから参照ＵＬ−ＤＬ設定を選択することをさらに含む、例Ｂ１〜Ｂ３のいずれか１つに記載の方法。
例Ｂ５．  少なくとも１つの通信リソースは、少なくとも１つの周波数リソースであり、無線デバイスへの通信は、無線デバイスがキャリアアグリゲーション（ＣＡ）モードにあるとき、重複しない通信をスケジュールするために、少なくとも１つの周波数リソースを設定するためのものである、例Ｂ１に記載の方法。
例Ｃ１．  ネットワークノードと通信するように設定された無線デバイス（無線デバイス）であって、無線デバイスは、
ネットワークノードから、第１のアップリンク−ダウンリンク（ＵＬ−ＤＬ）設定および第２のＵＬ−ＤＬ設定を受信することであって、第２のＵＬ−ＤＬ設定が参照ＵＬ−ＤＬ設定である、第１のＵＬ−ＤＬ設定および第２のＵＬ−ＤＬ設定を受信することと、
少なくとも第１のＵＬ−ＤＬ設定と参照ＵＬ−ＤＬ設定との比較に基づいて、無線デバイスのための少なくとも１つの通信リソースが、ＵＬリソースおよびＤＬリソースのうちの１つであると決定することと
を行うように設定され、ならびに／あるいはそれを行うように設定された無線インターフェースおよび／または処理回路を備える、無線デバイス（無線デバイス）。
例Ｃ２．  少なくとも１つの通信リソースは、少なくとも１つの時間リソースであり、処理回路は、少なくとも１つの時間リソースが、時分割複信（ＴＤＤ）フレームにおけるＵＬ時間リソースおよびＤＬ時間リソースのうちの１つであると決定するように設定される、例Ｃ１に記載の無線デバイス。
例Ｃ３．  少なくとも１つの通信リソースは、少なくとも１つの時間リソースであり、処理回路は、無線デバイスがデュアルコネクティビティ（ＤＣ）モードにあるとき、重複しない通信をスケジュールするために、少なくとも１つの時間リソースが、時分割複信（ＴＤＤ）フレームにおけるＵＬ時間リソースおよびＤＬ時間リソースのうちの１つであると決定するように設定される、例Ｃ１に記載の無線デバイス。
例Ｃ４．  処理回路は、第１のＵＬ−ＤＬ設定における少なくとも１つの時間リソースの通信方向と、第２のＵＬ−ＤＬ設定における少なくとも１つの時間リソースの通信方向とが一致するかどうかを決定するために、参照ＵＬ−ＤＬ設定を第１のＵＬ−ＤＬ設定と比較するようにさらに設定される、例Ｃ１〜Ｃ３のいずれか１つに記載の無線デバイス。
例Ｃ５．  少なくとも１つの通信リソースは、少なくとも１つの周波数リソースであり、処理回路は、無線デバイスがキャリアアグリゲーション（ＣＡ）モードにあるとき、重複しない通信をスケジュールするために、少なくとも１つの周波数リソースに対応する周波数を決定するように設定される、例Ｃ１に記載の無線デバイス。
例Ｄ１．  無線デバイス（無線デバイス）において実装される方法であって、方法は、
ネットワークノードから、第１のアップリンク−ダウンリンク（ＵＬ−ＤＬ）設定および第２のＵＬ−ＤＬ設定を受信することであって、第２のＵＬ−ＤＬ設定が参照ＵＬ−ＤＬ設定である、第１のＵＬ−ＤＬ設定および第２のＵＬ−ＤＬ設定を受信することと、
少なくとも第１のＵＬ−ＤＬ設定と参照ＵＬ−ＤＬ設定との比較に基づいて、無線デバイスのための少なくとも１つの通信リソースが、ＵＬリソースおよびＤＬリソースのうちの１つであると決定することと
を含む、方法。
例Ｄ２．  少なくとも１つの通信リソースは、少なくとも１つの時間リソースであり、決定することは、少なくとも１つの時間リソースが、時分割複信（ＴＤＤ）フレームにおけるＵＬ時間リソースおよびＤＬ時間リソースのうちの１つであると決定することを含む、例Ｄ１に記載の方法。
例Ｄ３．  少なくとも１つの通信リソースは、少なくとも１つの時間リソースであり、決定することは、無線デバイスがデュアルコネクティビティ（ＤＣ）モードにあるとき、重複しない通信をスケジュールするために、少なくとも１つの時間リソースが、時分割複信（ＴＤＤ）フレームにおけるＵＬ時間リソースおよびＤＬ時間リソースのうちの１つであると決定することを含む、例Ｄ１に記載の方法。
例Ｄ４．  第１のＵＬ−ＤＬ設定における少なくとも１つの時間リソースの通信方向と、第２のＵＬ−ＤＬ設定における少なくとも１つの時間リソースの通信方向とが一致するかどうかを決定するために、参照ＵＬ−ＤＬ設定を第１のＵＬ−ＤＬ設定と比較することをさらに含む、例Ｄ１〜Ｄ３のいずれか１つに記載の方法。
例Ｄ５．  少なくとも１つの通信リソースは、少なくとも１つの周波数リソースであり、決定することは、無線デバイスがキャリアアグリゲーション（ＣＡ）モードにあるとき、重複しない通信をスケジュールするために、少なくとも１つの周波数リソースに対応する周波数を決定することを含む、例Ｄ１に記載の方法。
【０１２４】
当業者によって諒解されるように、本明細書で説明される概念は、方法、データ処理システム、コンピュータプログラム製品、および／または実行可能コンピュータプログラムを記憶するコンピュータ記憶媒体として具現され得る。したがって、本明細書で説明される概念は、完全にハードウェアの実施形態、完全にソフトウェアの実施形態、またはソフトウェア態様とハードウェア態様とを組み合わせる実施形態の形態をとり得、これらはすべて、本明細書では概して「回路」または「モジュール」と呼ばれることがある。本明細書で説明される任意のプロセス、ステップ、アクションおよび／または機能は、ソフトウェアおよび／またはファームウェアおよび／またはハードウェアにおいて実装され得る、対応するモジュールによって実施され、ならびに／あるいはそのモジュールに関連し得る。さらに、本開示は、コンピュータによって実行され得る媒体において具現されるコンピュータプログラムコードを有する、有形コンピュータ使用可能記憶媒体上のコンピュータプログラム製品の形態をとり得る。ハードディスク、ＣＤ−ＲＯＭ、電子ストレージデバイス、光ストレージデバイス、または磁気ストレージデバイスを含む、任意の好適な有形コンピュータ可読媒体が利用され得る。
【０１２５】
いくつかの実施形態が、方法、システムおよびコンピュータプログラム製品のフローチャート例示図および／またはブロック図を参照しながら本明細書で説明された。フローチャート例示図および／またはブロック図の各ブロック、ならびにフローチャート例示図および／またはブロック図中のブロックの組合せが、コンピュータプログラム命令によって実装され得ることを理解されよう。これらのコンピュータプログラム命令は、機械を製造するために、（それにより専用コンピュータを作成するための）汎用コンピュータ、専用コンピュータ、または他のプログラマブルデータ処理装置のプロセッサに提供され得、その結果、コンピュータまたは他のプログラマブルデータ処理装置のプロセッサを介して実行するそれらの命令は、フローチャートおよび／またはブロック図の１つまたは複数のブロックにおいて指定された機能／行為を実装するための手段を作成する。
【０１２６】
これらのコンピュータプログラム命令はまた、コンピュータまたは他のプログラマブルデータ処理装置に特定の様式で機能するように指示することができるコンピュータ可読メモリまたは記憶媒体に記憶され得、その結果、コンピュータ可読メモリに記憶された命令は、フローチャートおよび／またはブロック図の１つまたは複数のブロックにおいて指定された機能／行為を実装する命令手段を含む製造品を製造する。
【０１２７】
コンピュータプログラム命令はまた、コンピュータ実装プロセスを生成するために、一連の動作ステップをコンピュータまたは他のプログラマブル装置上で実施させるように、コンピュータまたは他のプログラマブルデータ処理装置にロードされ得、その結果、コンピュータまたは他のプログラマブル装置上で実行される命令は、フローチャートおよび／またはブロック図の１つまたは複数のブロックにおいて指定された機能／行為を実装するためのステップを提供する。
【０１２８】
ブロック中で言及される機能／行為は、動作の例示図中で言及される順序から外れて行われ得ることを理解されたい。たとえば、関与する機能／行為に応じて、連続して示されている２つのブロックが、事実上、実質的にコンカレントに実行され得るか、またはブロックが、時々、逆の順序で実行され得る。図のうちのいくつかが、通信の主要な方向を示すために通信経路上に矢印を含むが、通信が、図示された矢印と反対方向に行われ得ることを理解されたい。
【０１２９】
本明細書で説明される概念の動作を行うためのコンピュータプログラムコードが、Ｊａｖａ（登録商標）またはＣ＋＋など、オブジェクト指向プログラミング言語で書かれ得る。しかしながら、本開示の動作を行うためのコンピュータプログラムコードは、「Ｃ」プログラミング言語など、従来の手続き型プログラミング言語でも書かれ得る。プログラムコードは、完全にユーザのコンピュータ上で、部分的にユーザのコンピュータ上で、スタンドアロンソフトウェアパッケージとして、部分的にユーザのコンピュータ上でおよび部分的にリモートコンピュータ上で、あるいは完全にリモートコンピュータ上で実行し得る。後者のシナリオでは、リモートコンピュータは、ローカルエリアネットワーク（ＬＡＮ）またはワイドエリアネットワーク（ＷＡＮ）を通してユーザのコンピュータに接続され得るか、あるいは接続は、（たとえば、インターネットサービスプロバイダを使用してインターネットを通して）外部コンピュータに対して行われ得る。
【０１３０】
多くの異なる実施形態が、上記の説明および図面に関して、本明細書で開示された。これらの実施形態のあらゆる組合せおよび部分組合せを文字通り説明および例示することは、過度に繰返しが多く、不明瞭にすることを理解されよう。したがって、すべての実施形態は、何らかのやり方および／または組合せで組み合わせられ得、図面を含む本明細書は、本明細書で説明される実施形態のすべての組合せおよび部分組合せと、それらを作製および使用する様式およびプロセスのすべての組合せおよび部分組合せとの完全な記載された説明を構成すると解釈されたく、ならびに、任意のそのような組合せまたは部分組合せに対する請求を支持するものとする。
【０１３１】
本明細書で説明される実施形態は、上記で本明細書で特に示され、説明されたことに限定されないことが当業者によって諒解されよう。さらに、そうでないことが上記で述べられていない限り、添付の図面のすべてが一定の縮尺であるとは限らないことに留意されたい。上記の教示に照らして、以下の特許請求の範囲から逸脱することなく、様々な修正および変形が可能である。
【図１】
2021520738.tif 000008
【図２】
2021520738.tif 000009
【図３】
2021520738.tif 000010
【図４】
2021520738.tif 000011
【図５】
2021520738.tif 000012
【図６】
2021520738.tif 000013
【図７】
2021520738.tif 000014
【図８】
2021520738.tif 000015
【図９】
2021520738.tif 000016
【図１０】
2021520738.tif 000017
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
ネットワークノード（１６）と通信するための無線デバイス（２２）であって、前記無線デバイス（２２）が処理回路（８４）を備え、前記処理回路（８４）は、前記無線デバイス（２２）のデュアルコネクティビティモードについて、
システム情報ブロックタイプ１（ＳＩＢ１）メッセージ中で、第１のアップリンク−ダウンリンク（ＵＬ−ＤＬ）設定の指示を受信することと、
参照ＵＬ−ＤＬ設定の指示を受信することと、
前記第１のＵＬ−ＤＬ設定を参照ＵＬ−ＤＬ設定と比較することであって、前記参照ＵＬ−ＤＬ設定が、複数の時分割複信（ＴＤＤ）設定パターンのうちの１つを指示する、比較すること、および、前記第１のＵＬ−ＤＬ設定中で指示された少なくとも１つの通信リソースの通信方向が、前記参照ＵＬ−ＤＬ設定によって指示された少なくとも１つの対応する通信リソースの通信方向に一致するかどうかを決定することと、
前記参照ＵＬ−ＤＬ設定と前記第１のＵＬ−ＤＬ設定との前記比較に基づいて、前記少なくとも１つの通信リソースが、Ｌｏｎｇ  Ｔｅｒｍ  Ｅｖｏｌｕｔｉｏｎ（ＬＴＥ）無線アクセスネットワークのために使用されるべきであるのか、新無線（ＮＲ）アクセスネットワークのために使用されるべきであるのかを決定することと
を行うように設定された、無線デバイス（２２）。
【請求項２】
前記少なくとも１つの通信リソースが、前記第１のＵＬ−ＤＬ設定および前記参照ＵＬ−ＤＬ設定によって指示されたスロットまたはサブフレームを含む、請求項１に記載の無線デバイス（２２）。
【請求項３】
前記処理回路（８４）は、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向であるかどうかを決定すること
を行うように設定されることによって、前記参照ＵＬ−ＤＬ設定を前記第１のＵＬ−ＤＬ設定と比較するようにさらに設定された、請求項１または２に記載の無線デバイス（２２）。
【請求項４】
前記処理回路（８４）は、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向である場合、前記少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、
前記第１のＵＬ−ＤＬ設定によって指示された前記少なくとも１つの通信リソースの前記通信方向も、前記参照ＵＬ−ＤＬ設定によって指示された前記少なくとも１つの対応する通信リソースの前記通信方向もＵＬ方向でない場合、前記少なくとも１つの通信リソースがＤＬリソースであると決定することと、
前記第１のＵＬ−ＤＬ設定によって指示された前記少なくとも１つの通信リソースの前記通信方向がＵＬ方向であり、前記参照ＵＬ−ＤＬ設定によって指示された前記少なくとも１つの対応する通信リソースの前記通信方向がＵＬ方向でない場合、前記少なくとも１つの通信リソースが、新無線（ＮＲ）アクセスネットワークのためのＵＬリソースであると決定することと
を行うように設定されることによって、前記少なくとも１つの通信リソースの設定を決定するようにさらに設定された、請求項１から３のいずれか一項に記載の無線デバイス（２２）。
【請求項５】
前記処理回路（８４）が、
前記参照ＵＬ−ＤＬ設定と前記第１のＵＬ−ＤＬ設定との前記比較に基づいて、ハイブリッド自動再送要求（ＨＡＲＱ）タイミングを決定すること
を行うように設定されることによって、前記少なくとも１つの通信リソースの前記設定を決定するようにさらに設定された、請求項１から４のいずれか一項に記載の無線デバイス（２２）。
【請求項６】
無線デバイス（２２）における方法であって、前記方法は、前記無線デバイス（２２）のデュアルコネクティビティモードについて、
システム情報ブロックタイプ１（ＳＩＢ１）メッセージ中で、第１のアップリンク−ダウンリンク（ＵＬ−ＤＬ）設定の指示を受信すること（Ｓ１３６）と、
参照ＵＬ−ＤＬ設定の指示を受信することと、
前記第１のＵＬ−ＤＬ設定によって指示された少なくとも１つの通信リソースの通信方向が、参照ＵＬ−ＤＬ設定によって指示された少なくとも１つの対応する通信リソースの通信方向に一致するかどうかを決定するために、前記第１のＵＬ−ＤＬ設定を前記参照ＵＬ−ＤＬ設定と比較すること（Ｓ１３８）であって、前記参照ＵＬ−ＤＬ設定が、複数の時分割複信（ＴＤＤ）設定パターンのうちの１つを指示する、比較すること（Ｓ１３８）と、
前記参照ＵＬ−ＤＬ設定と前記第１のＵＬ−ＤＬ設定との前記比較に基づいて、前記少なくとも１つの通信リソースが、Ｌｏｎｇ  Ｔｅｒｍ  Ｅｖｏｌｕｔｉｏｎ（ＬＴＥ）無線アクセスネットワークのために使用されるべきであるのか、新無線（ＮＲ）アクセスネットワークのために使用されるべきであるのかを決定すること（Ｓ１４０）と
を含む、方法。
【請求項７】
前記少なくとも１つの通信リソースが、前記第１のＵＬ−ＤＬ設定および前記参照ＵＬ−ＤＬ設定によって指示されたスロットまたはサブフレームを含む、請求項６に記載の方法。
【請求項８】
前記参照ＵＬ−ＤＬ設定を前記第１のＵＬ−ＤＬ設定と前記比較することは、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向であるかどうかを決定すること
をさらに含む、請求項６または７に記載の方法。
【請求項９】
前記少なくとも１つの通信リソースの設定を前記決定することは、
前記第１のＵＬ−ＤＬ設定によって指示された前記少なくとも１つの通信リソースの前記通信方向と、前記参照ＵＬ−ＤＬ設定によって指示された前記少なくとも１つの対応する通信リソースの前記通信方向とが、両方ともアップリンク（ＵＬ）方向である場合、前記少なくとも１つの通信リソースが、Ｌｏｎｇ  Ｔｅｒｍ  Ｅｖｏｌｕｔｉｏｎ（ＬＴＥ）無線アクセスネットワークのためのＵＬリソースであると決定することと、
前記第１のＵＬ−ＤＬ設定によって指示された前記少なくとも１つの通信リソースの前記通信方向も、前記参照ＵＬ−ＤＬ設定によって指示された前記少なくとも１つの対応する通信リソースの前記通信方向もＵＬ方向でない場合、前記少なくとも１つの通信リソースがダウンリンク（ＤＬ）リソースであると決定することと、
前記第１のＵＬ−ＤＬ設定によって指示された前記少なくとも１つの通信リソースの前記通信方向がＵＬ方向であり、前記参照ＵＬ−ＤＬ設定によって指示された前記少なくとも１つの対応する通信リソースの前記通信方向がＵＬ方向でない場合、前記少なくとも１つの通信リソースが、新無線（ＮＲ）アクセスネットワークのためのＵＬリソースであると決定することと
をさらに含む、請求項６から８のいずれか一項に記載の方法。
【請求項１０】
前記少なくとも１つの通信リソースの前記設定を前記決定することが、
前記参照ＵＬ−ＤＬ設定と前記第１のＵＬ−ＤＬ設定との前記比較に基づいて、ハイブリッド自動再送要求（ＨＡＲＱ）タイミングを決定すること
をさらに含む、請求項６から８のいずれか一項に記載の方法。
【請求項１１】
無線デバイス（２２）がデュアルコネクティビティモードにあるときに前記無線デバイス（２２）と通信するように設定されたネットワークノード（１６）であって、前記ネットワークノード（１６）が処理回路（６８）を備え、前記処理回路（６８）は、
第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークまたは新無線（ＮＲ）アクセスネットワークのいずれか１つのための少なくとも１つの通信リソースを使用するための前記無線デバイス（２２）のスケジューリングを決定することと、
システム情報ブロックタイプ１（ＳＩＢ１）メッセージ中で前記第１のＵＬ−ＤＬ設定を通信することと、
前記参照ＵＬ−ＤＬ設定を選択することであって、前記参照ＵＬ−ＤＬ設定が、複数の時分割複信（ＴＤＤ）設定パターンのうちの１つを指示し、前記参照ＵＬ−ＤＬ設定は、前記無線デバイス（２２）が、前記第１のＵＬ−ＤＬ設定と前記参照ＵＬ−ＤＬ設定との比較に基づいて、前記少なくとも１つのスケジュールされた通信リソースのために、前記ＬＴＥ無線アクセスネットワークおよび前記ＮＲ無線アクセスネットワークのうちのどちらの無線アクセスネットワークを使用すべきかを決定することを可能にする、選択することと、
前記無線デバイス（２２）に、前記参照ＵＬ−ＤＬ設定の指示を通信することと
を行うように設定された、ネットワークノード（１６）。
【請求項１２】
ネットワークノード（１６）における方法であって、前記方法は、
第１のアップリンク−ダウンリンク（ＵＬ−ＤＬ）設定と参照ＵＬ−ＤＬ設定との比較に少なくとも部分的に基づいて、Ｌｏｎｇ  Ｔｅｒｍ  Ｅｖｏｌｕｔｉｏｎ（ＬＴＥ）無線アクセスネットワークまたは新無線（ＮＲ）アクセスネットワークのいずれか１つのための少なくとも１つの通信リソースを使用するための無線デバイス（２２）のスケジューリングを決定すること（Ｓ１３４）と、
システム情報ブロックタイプ１（ＳＩＢ１）メッセージ中で前記第１のＵＬ−ＤＬ設定の指示を通信することと、
前記参照ＵＬ−ＤＬ設定を選択すること（Ｓ１３３ｂ）であって、前記参照ＵＬ−ＤＬ設定が、複数の時分割複信（ＴＤＤ）設定パターンのうちの１つを指示し、前記参照ＵＬ−ＤＬ設定は、前記無線デバイス（２２）が、前記第１のＵＬ−ＤＬ設定と前記参照ＵＬ−ＤＬ設定との比較に基づいて、前記少なくとも１つのスケジュールされた通信リソースのために、前記ＬＴＥ無線アクセスネットワークおよび前記ＮＲ無線アクセスネットワークのうちのどちらの無線アクセスネットワークを使用すべきかを決定することを可能にする、選択すること（Ｓ１３３ｂ）と、
前記無線デバイス（２２）に、前記参照ＵＬ−ＤＬ設定の指示を通信すること（Ｓ１３５）と
を含む、方法。
【請求項１３】
前記少なくとも１つの通信リソースが、前記第１のＵＬ−ＤＬ設定および前記参照ＵＬ−ＤＬ設定によって指示されたスロットまたはサブフレームを含む、請求項１２に記載の方法。
【請求項１４】
前記参照ＵＬ−ＤＬ設定を前記選択すること（Ｓ１３３ｂ）は、
前記第１のＵＬ−ＤＬ設定によって指示された前記少なくとも１つの通信リソースの通信方向が、前記参照ＵＬ−ＤＬ設定によって指示された前記少なくとも１つの対応する通信リソースの通信方向に一致するかどうかに少なくとも部分的に基づいて、前記参照ＵＬ−ＤＬ設定を選択すること
をさらに含む、請求項１２または１３に記載の方法。
【請求項１５】
前記参照ＵＬ−ＤＬを前記選択すること（Ｓ１３３ｂ）は、
前記少なくとも１つの通信リソースが、Ｌｏｎｇ  Ｔｅｒｍ  Ｅｖｏｌｕｔｉｏｎ（ＬＴＥ）無線アクセスネットワークのためのアップリンク（ＵＬ）リソースであるべきである場合、前記第１のＵＬ−ＤＬ設定によって指示された前記対応する少なくとも１つの通信リソースの前記通信方向に一致する、前記少なくとも１つの通信リソースの前記通信方向を指示する、前記参照ＵＬ−ＤＬ設定を選択することと、
前記少なくとも１つの通信リソースが、新無線（ＮＲ）アクセスネットワークのためのＵＬリソースであるべきである場合、前記第１のＵＬ−ＤＬ設定によって指示された前記対応する少なくとも１つの通信リソースの前記通信方向に一致しない、前記少なくとも１つの通信リソースの前記通信方向を指示する、前記参照ＵＬ−ＤＬ設定を選択することと
をさらに含む、請求項１２または１３に記載の方法。
【請求項１６】
前記参照ＵＬ−ＤＬ設定が、前記無線デバイス（２２）のためのハイブリッド自動再送要求（ＨＡＲＱ）タイミングをさらに設定する、請求項１２から１５のいずれか一項に記載の方法。
【国際調査報告】
2021520738.tif 000018
2021520738.tif 000019